(57)【要約】      （修正有）【課題】信頼性が高く、良好な電気特性を維持しつつ、微細化を達成した酸化物半導体を用いた半導体装置を提供する。【解決手段】半導体装置において、トランジスタ１００は、第１の保護絶縁層１１１と、第１の保護絶縁層１１１上に、酸化物半導体層１０２と、酸化物半導体層１０２と電気的に接続するソース電極およびドレイン電極１０３と、ソース電極およびドレイン電極１０３上に位置するゲート絶縁層１０４と、ゲート絶縁層１０４を介して酸化物半導体層１０２と重なるゲート電極１０５と、ゲート電極を覆う第２の保護絶縁層１１２と、を有する。また、第１の保護絶縁層１１１および第２の保護絶縁層１１２は、酸素過剰領域を有する酸化アルミニウム膜を含み、且つ、ソース電極、ドレイン電極１０３およびゲート電極１０５の存在しない領域において互いに接する領域を有する。【選択図】図１
2020057809.tif 000002
【特許請求の範囲】
【請求項１】
溝部を有する絶縁層と、
前記溝部の側面および底面を覆うように設けられた第１の保護絶縁層と、
前記第１の保護絶縁層上に前記溝部に埋め込むように設けられた酸化物半導体層と、
前記酸化物半導体層に電気的に接続するソース電極およびドレイン電極と、
前記ソース電極および前記ドレイン電極上に位置し、前記酸化物半導体層と重なるゲート絶縁層と、
前記ゲート絶縁層を介して前記酸化物半導体層と重なるゲート電極と、
前記ソース電極、前記ドレイン電極、および前記ゲート電極を覆う第２の保護絶縁層と、を有し、
前記第１の保護絶縁層および前記第２の保護絶縁層は、前記ソース電極、前記ドレイン電極、および前記ゲート電極の存在しない領域において互いに接する領域を有する、
半導体装置。
【請求項２】
溝部を有する絶縁層と、
前記溝部の側面および底面を覆うように設けられた第１の保護絶縁層と、
前記第１の保護絶縁層上に前記溝部に埋め込むように設けられた酸化物半導体層と、
前記酸化物半導体層に電気的に接続するソース電極およびドレイン電極と、
前記ソース電極および前記ドレイン電極上に位置し、前記酸化物半導体層と重なるゲート絶縁層と、
前記ゲート絶縁層を介して前記酸化物半導体層と重なるゲート電極と、
前記ソース電極、前記ドレイン電極、および前記ゲート電極を覆う第２の保護絶縁層と、を有し、
前記第１の保護絶縁層および前記第２の保護絶縁層は、酸素過剰領域を有する酸化アルミニウム膜を含み、且つ前記ソース電極、前記ドレイン電極、および前記ゲート電極の存在しない領域において互いに接する領域を有する、
半導体装置。
【請求項３】
前記第１の保護絶縁層と前記酸化物半導体層との間に設けられ、前記酸化物半導体層の金属元素の少なくとも一を含んで構成される第１の酸化物層と、
前記酸化物半導体層と前記ゲート絶縁層との間に設けられ、前記酸化物半導体層の金属元素の少なくとも一を含んで構成される第２の酸化物層と、を有し、
前記前記第１の酸化物層および前記第２の酸化物層の伝導帯下端のエネルギーは、酸化物半導体層の伝導帯下端のエネルギーよりも、０．０５ｅＶ以上２ｅＶ以下の範囲で真空準位に近い、
請求項１又は請求項２に記載の、半導体装置。
【請求項４】
前記第２の酸化物層の下面は、前記ソース電極の上面、前記ドレイン電極の上面、ならびに前記ソース電極および前記ドレイン電極が設けられない領域における前記酸化物半導体層の上面に接する、
請求項３に記載の、半導体装置。
【発明の詳細な説明】
【技術分野】
【０００１】
本明細書等で開示する発明は、半導体装置、および半導体装置の作製方法に関する。
【０００２】
なお、本明細書等において、半導体装置とは、半導体特性を利用することで機能しうる
装置全般を指し、トランジスタ、半導体回路、演算装置、記憶装置、撮像装置、電気光学
装置、発電装置（薄膜太陽電池、有機薄膜太陽電池等を含む）、及び電子機器は半導体装
置の一態様である。
【背景技術】
【０００３】
絶縁表面を有する基板上に形成された半導体薄膜を用いてトランジスタを構成する技術
が注目されている。該トランジスタは集積回路（ＩＣ）や画像表示装置（単に表示装置と
も表記する）のような電子デバイスに広く応用されている。トランジスタに適用可能な半
導体薄膜としてシリコン系半導体材料が広く知られているが、その他の材料として酸化物
半導体が注目されている。
【０００４】
例えば、酸化物半導体として、酸化亜鉛、Ｉｎ−Ｇａ−Ｚｎ系酸化物半導体を用いてト
ランジスタを作製する技術が開示されている（特許文献１及び特許文献２参照）。
【０００５】
また、トランジスタのキャリア移動度の向上を目的として、電子親和力（または伝導帯
下端準位）が異なる酸化物半導体層を積層させる技術が開示されている（特許文献３及び
特許文献４参照）。
【先行技術文献】
【特許文献】
【０００６】
【特許文献１】特開２００７−１２３８６１号公報
【特許文献２】特開２００７−９６０５５号公報
【特許文献３】特開２０１１−１２４３６０号公報
【特許文献４】特開２０１１−１３８９３４号公報
【発明の概要】
【発明が解決しようとする課題】
【０００７】
酸化物半導体を用いたトランジスタを有する半導体装置において、高信頼性の達成は、
製品化に向けた重要事項である。特に、半導体装置の電気特性の変動や低下は信頼性の低
下を招く要因の一つである。
【０００８】
このような問題に鑑み、本発明の一態様は、酸化物半導体を用いた半導体装置であって
、信頼性の高い半導体装置を提供することを課題の一とする。
【０００９】
また、トランジスタの動作の高速化、トランジスタの低消費電力化、低価格化、高集積
化等を達成するためにはトランジスタの微細化が必須である。
【００１０】
そこで、本発明の一態様は、酸化物半導体を用いた半導体装置であって、良好な電気特
性を維持しつつ、微細化を達成した半導体装置を提供することを課題の一とする。
【００１１】
なお、これらの課題の記載は、他の課題の存在を妨げるものではない。本発明の一態様
は、これらの課題の全てを解決する必要はないものとする。また、上記以外の課題は、明
細書等の記載から自ずと明らかになるものであり、明細書等の記載から上記以外の課題を
抽出することが可能である。
【課題を解決するための手段】
【００１２】
本発明の一態様の半導体装置は、第１の保護絶縁層と、第１の保護絶縁層上に、酸化物
半導体層と、酸化物半導体層と電気的に接続するソース電極およびドレイン電極と、ソー
ス電極およびドレイン電極上に位置し、酸化物半導体層と重なるゲート絶縁層と、ゲート
絶縁層を介して酸化物半導体層と重なるゲート電極と、ソース電極、ドレイン電極および
ゲート電極を覆う第２の保護絶縁層と、を有する。また第１の保護絶縁層および第２の保
護絶縁層は、酸素過剰領域を有する酸化アルミニウム膜を含み、且つソース電極、ドレイ
ン電極およびゲート電極の存在しない領域において互いに接する領域を有する。
【００１３】
また、上記ゲート電極は、ゲート絶縁層を介して酸化物半導体層の上面および側面を覆
う構成とすることが好ましい。
【００１４】
また、上記酸化物半導体層は、チャネル幅に対して、厚さが０．１倍以上１０倍以下で
あることが好ましい。
【００１５】
また上記において、第１の保護絶縁層と酸化物半導体層との間に設けられ、酸化物半導
体層の金属元素の少なくとも一を含んで構成される第１の酸化物層と、酸化物半導体層と
ゲート絶縁層との間に設けられ、酸化物半導体層の金属元素の少なくとも一を含んで構成
される第２の酸化物層と、を有する構成としてもよい。ここで第１の酸化物層および第２
の酸化物層の伝導帯下端のエネルギーは、酸化物半導体層の伝導帯下端のエネルギーより
も、０．０５ｅＶ以上２ｅＶ以下の範囲で真空準位に近い構成とすることが好ましい。
【００１６】
また、第２の酸化物層の上面は、ソース電極の下面、ドレイン電極の下面、およびゲー
ト絶縁層の下面に接する構成としてもよい。
【００１７】
または、第２の酸化物層の下面は、ソース電極の上面、ドレイン電極の上面、ならびに
ソース電極およびドレイン電極が設けられない領域における酸化物半導体層の上面および
側面に接する構成としてもよい。
【００１８】
また、本発明の他の一態様の半導体装置は、溝部を有する絶縁層と、溝部の側面および
底面を覆うように設けられた第１の保護絶縁層と、第１の保護絶縁層上に溝部に埋め込む
ように設けられた酸化物半導体層と、酸化物半導体層に電気的に接続するソース電極およ
びドレイン電極と、ソース電極およびドレイン電極上に位置し、酸化物半導体層と重なる
ゲート絶縁層と、ゲート絶縁層を介して酸化物半導体層と重なるゲート電極と、ソース電
極、ドレイン電極、およびゲート電極を覆う第２の保護絶縁層と、を有する構成とする。
さらに、第１の保護絶縁層および第２の保護絶縁層は、酸素過剰領域を有する酸化アルミ
ニウム膜を含み、且つソース電極、ドレイン電極、およびゲート電極の存在しない領域に
おいて互いに接する領域を有する。
【発明の効果】
【００１９】
本発明の一態様によれば、酸化物半導体を用いた半導体装置であって、信頼性の高い半
導体装置を提供することができる。
【００２０】
また、本発明の一態様によれば、酸化物半導体を用いた半導体装置であって、良好な電
気特性を維持しつつ、微細化を達成した半導体装置を提供することができる。
【図面の簡単な説明】
【００２１】
【図１】実施の形態に係る、半導体装置の構成例。
【図２】実施の形態に係る、半導体装置の作製方法例を説明する図。
【図３】実施の形態に係る、半導体装置の構成例。
【図４】実施の形態に係る、半導体装置の構成例。
【図５】実施の形態に係る、半導体装置の構成例。
【図６】実施の形態に係る、半導体装置の作製方法例を説明する図。
【図７】実施の形態に係る、半導体装置の構成例。
【図８】実施の形態に係る、半導体装置の構成例。
【図９】実施の形態に係る、半導体装置の構成例および回路図。
【図１０】実施の形態に係る、半導体装置の構成例。
【図１１】実施の形態に係る、バンド図を説明する図。
【図１２】実施の形態に係る、半導体装置の構成例。
【図１３】実施の形態に係る、半導体装置の構成例。
【図１４】実施の形態に係る、半導体装置の構成例。
【図１５】実施の形態に係る、半導体装置の構成例。
【図１６】実施の形態に係る、半導体装置の構成例および回路図。
【図１７】実施の形態に係る、半導体装置の構成例。
【図１８】実施の形態に係る、半導体装置の等価回路図。
【図１９】実施の形態に係る、半導体装置の回路図。
【図２０】実施の形態に係る、半導体装置のブロック図。
【図２１】実施の形態に係る、記憶装置を説明する回路図。
【図２２】実施の形態に係る、電子機器。
【図２３】酸化物半導体の断面ＴＥＭ像および局所的なフーリエ変換像。
【図２４】酸化物半導体膜のナノビーム電子回折パターンを示す図、および透過電子回折測定装置の一例を示す図。
【図２５】透過電子回折測定による構造解析の一例を示す図、および平面ＴＥＭ像。
【図２６】実施の形態に係る、半導体装置の構成例。
【図２７】実施の形態に係る、半導体装置の構成例。
【図２８】実施の形態に係る、半導体装置の構成例。
【図２９】実施の形態に係る、半導体装置の構成例。
【発明を実施するための形態】
【００２２】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。
【００２３】
なお、以下に説明する発明の構成において、同一部分又は同様な機能を有する部分には
同一の符号を異なる図面間で共通して用い、その繰り返しの説明は省略する。また、同様
の機能を指す場合には、ハッチパターンを同じくし、特に符号を付さない場合がある。
【００２４】
なお、本明細書で説明する各図において、各構成の大きさ、層の厚さ、または領域は、
明瞭化のために誇張されている場合がある。よって、必ずしもそのスケールに限定されな
い。
【００２５】
なお、本明細書等における「第１」、「第２」等の序数詞は、構成要素の混同を避ける
ために付すものであり、数的に限定するものではない。
【００２６】
トランジスタは半導体素子の一種であり、電流や電圧の増幅や、導通または非導通を制
御するスイッチング動作などを実現することができる。本明細書におけるトランジスタは
、ＩＧＦＥＴ（Ｉｎｓｕｌａｔｅｄ  Ｇａｔｅ  Ｆｉｅｌｄ  Ｅｆｆｅｃｔ  Ｔｒａｎｓ
ｉｓｔｏｒ）や薄膜トランジスタ（ＴＦＴ：Ｔｈｉｎ  Ｆｉｌｍ  Ｔｒａｎｓｉｓｔｏｒ
）を含む。
【００２７】
（実施の形態１）
本実施の形態では、本発明の一態様の半導体装置の例として、トランジスタの構成例お
よび作製方法例について、図面を参照して説明する。
【００２８】
酸化物半導体を用いてトランジスタを作製する場合、酸化物半導体のキャリアの供給源
の一つとして、酸素欠損があげられる。トランジスタのチャネル形成領域を含む酸化物半
導体に酸素欠損が多く存在すると、チャネル形成領域に電子を生じさせてしまい、トラン
ジスタのノーマリーオン化、リーク電流の増大、ストレス印加によるしきい値電圧の変動
（シフト）など、電気特性の不良を引き起こす要因となる。
【００２９】
また、酸化物半導体層において、水素、シリコン、窒素、炭素及び主成分以外の金属元
素は不純物となる。たとえば、酸化物半導体層中で水素の一部はドナー準位を形成し、キ
ャリア密度を増大させる。
【００３０】
そのため、酸化物半導体を用いた半導体装置において安定した電気特性を得るためには
、酸化物半導体層に十分な酸素を供給することで酸素欠損を低減し、且つ、水素等の不純
物濃度を低減する措置を講じることが求められる。
【００３１】
そこで本発明の一態様の半導体装置では、酸化物半導体層を囲うように、酸素過剰領域
を有する酸化アルミニウム膜を含む保護絶縁層を設け、当該保護絶縁層からチャネル形成
領域へ酸素を供給することでチャネル形成領域に形成されうる酸素欠損を補填する。さら
に、保護絶縁層により酸化物半導体層からの酸素の放出を抑制し、酸素欠損の形成を抑制
する。
【００３２】
本発明の一態様において、チャネル形成領域へ酸素を供給するための保護絶縁層として
は、過剰酸素を含む酸化アルミニウム膜を有する絶縁層を適用するものとする。ここで、
過剰酸素とは、例えば、化学量論的組成を超えて含まれる酸素、または、半導体装置の作
製工程中に加わる熱処理温度以下の温度の加熱より放出されうる酸素をいう。例えば、過
剰酸素を含む酸化アルミニウム膜として、ＡｌＯｘ（ｘは３／２より大きい）膜を用いる
ことができる。酸化アルミニウム膜に含まれる過剰酸素は、加熱によって放出され酸化物
半導体層へと供給することが可能であるため、このような酸化アルミニウム膜を含む絶縁
層を酸化物半導体層の下側及び上側に設けることで、チャネル形成領域に効果的に酸素を
供給することができる。
【００３３】
なお、過剰酸素を含む酸化アルミニウム膜は、例えば、酸素を含む雰囲気にてスパッタ
リング法等によって成膜することで形成することができる。
【００３４】
また、酸化アルミニウム膜は、酸化シリコン膜、酸化窒化シリコン膜等の絶縁層、また
は酸化物半導体層と比較して酸素及び水素に対する透過性が低い絶縁層である。換言する
と、酸素及び水素に対するバリア性を有する絶縁層である。よって、酸化アルミニウム膜
を含む絶縁層を設けることで、当該絶縁層で囲まれた領域の酸素の脱離による酸素欠損の
形成を抑制し、且つ、水素又は水素化合物の混入を抑制することが可能となる。
【００３５】
本発明の一態様において、酸化物半導体層の上側及び下側に設けられた保護絶縁層は、
酸化物半導体層と、該酸化物半導体層と電気的に接続するソース電極及びドレイン電極と
が存在しない領域において、互いに接する領域を有する。すなわち、本発明の一態様の半
導体装置は、酸化物半導体層を包み込むように酸化アルミニウム膜が設けられた構成を有
する。このような構成を有することで、酸化物半導体層のフロントチャネル側及びバック
チャネル側界面に加えて、酸化物半導体層側面における酸素の脱離及び／または水素等の
不純物の混入を抑制し、且つ酸素の供給を行うことが可能となる。よって、当該酸化物半
導体層にチャネルが形成されるトランジスタの電気特性の変動を抑制し、信頼性の高い半
導体装置を形成することが可能となる。
【００３６】
そのため本発明の一態様の半導体装置では、チャネル形成領域の酸素欠損を低減するこ
とにより、良好な電気特性を有し、且つ電気特性の変動が抑制された信頼性の高い半導体
装置を実現できる。
【００３７】
本発明の一態様にかかる構成の効果は、例えば以下のように説明することができる。
【００３８】
本発明の一態様の半導体装置は、過剰酸素を有する酸化アルミニウム膜を含む絶縁層を
、酸化物半導体層を包み込むように設ける。酸化アルミニウム膜に含まれる過剰酸素は、
半導体装置の作製工程における加熱処理によって、チャネルが形成される酸化物半導体層
へ供給される。さらに、酸化アルミニウム膜は、酸素及び水素に対するバリア性を有する
ため、酸化アルミニウム膜を含む絶縁層で包まれた酸化物半導体層からの酸素の脱離、及
び酸化物半導体層への水素等の不純物の混入を抑制することが可能となる。十分に酸素が
供給され、且つ水素等の不純物の混入を抑制された酸化物半導体層は、高純度真性化され
た酸化物半導体層である。
【００３９】
また、上記の半導体装置において、ゲート絶縁層を介して酸化物半導体層と重なるゲー
ト電極は、酸化物半導体層のチャネル形成領域の側面及び上面と重なるように設けること
が好ましい。このような構成とすることで、酸化物半導体層に対して側面に垂直な方向及
び上面に垂直な方向から電界が印加されるため、トランジスタのしきい値電圧を良好に制
御し、且つサブスレッショルド係数（Ｓ値ともいう）を向上させることができる。
【００４０】
ここで、半導体装置の高密度化（高集積化）を達成するためには、トランジスタの微細
化が必須である。一方、トランジスタの微細化によりトランジスタの電気特性が悪化する
場合があることが知られている。
【００４１】
例えば、シリコンを用いたトランジスタでは、チャネル長を短縮すると、サブスレッシ
ョルド係数（Ｓ値）の劣化、しきい値電圧の変動等の短チャネル効果が生じることが知ら
れている。
【００４２】
しかしながら、酸化物半導体を用いたトランジスタは、電子を多数キャリアとする蓄積
型トランジスタであるため、シリコン等の反転型トランジスタと比較して短チャネルでの
ＤＩＢＬ（Ｄｒａｉｎ−Ｉｎｄｕｃｅｄ  Ｂａｒｒｉｅｒ  Ｌｏｗｅｒｉｎｇ）が起こり
にくい。酸化物半導体を用いたトランジスタは、短チャネル効果に対する耐性を有すると
言い換えることもできる。
【００４３】
また、トランジスタのチャネル幅を縮小すると、オン電流の低下が懸念される。オン電
流の向上を目的として、活性層の側面にもチャネルが形成されるよう活性層を厚膜化する
方法も知られているが、チャネルが形成される表面積が増大することで、チャネル形成領
域とゲート絶縁層との界面にキャリアの散乱が増加するため、十分なオン電流の向上を見
込むのは容易ではない。
【００４４】
しかしながら、本発明の一態様のトランジスタにおいては、チャネルが形成される酸化
物半導体層を包み込む態様で、過剰酸素を含有する酸化アルミニウム膜を含む絶縁層を有
することで、酸化アルミニウム膜に含まれる過剰酸素を酸化物半導体層に供給し、且つ、
酸化物半導体層からの酸素の脱離及び水素等の不純物の混入を抑制することができる。酸
化物半導体層にとって、酸素欠損及び水素はキャリアの生成要因となるため、過剰酸素を
含む酸化アルミニウム膜を設けることで、チャネルが形成される酸化物半導体層の界面で
生じうるキャリアの散乱を抑えることができる。
【００４５】
したがって、チャネル幅を縮小した場合であっても、酸化物半導体層の膜厚を厚膜化し
てゲート電極と重なる表面積を増加させることで、オン電流を十分に向上させることが可
能となる。酸化物半導体層の側面方向にゲート電極からの電界を十分に印加するためには
、酸化物半導体層の膜厚をチャネル幅以上とすることが好ましい。
【００４６】
また、酸化物半導体層に接して、酸化物半導体層の金属元素の少なくとも一を含んで構
成される酸化物層を設けることで、上述のキャリアの散乱をより抑制することができるた
め、効果的である。
【００４７】
なお、トランジスタのチャネル長及びチャネル幅を微細化すると、レジストマスクを用
いて加工される配線、半導体層等の端面が丸みを帯びる（曲面を有する）場合がある。厚
膜化した酸化物半導体層を覆うように、薄膜の絶縁層（例えば、ゲート絶縁層）を形成す
る場合、被覆性の低下による形状不良を招き、安定した電気的特性が得られないことがあ
るが、酸化物半導体層の端面が曲面を有することで、酸化物半導体層上に設けられる絶縁
層の被覆性を向上させることができるため、好ましい。
【００４８】
また、酸化物半導体層中の水素の一部は、酸素欠損に捕獲され、酸化物半導体層をｎ型
化するため、フェルミ準位（Ｅｆ）が伝導帯下端（Ｅｃ）に近づく。よって、水素が多量
に含まれた酸化物半導体層は、電気特性の変動が懸念される一方で、トランジスタの電界
効果移動度の向上が期待される。一方、酸化物半導体層を真性又は実質的に真性とすると
、酸化物半導体層のフェルミエネルギーはミッドギャップ（酸化物半導体層のエネルギー
ギャップの中間のエネルギー）と一致する、又は限りなく近づく。この場合、酸化物半導
体層に含まれるキャリア数の減少により、電界効果移動度の低下が懸念される。
【００４９】
しかしながら、本発明の一態様のトランジスタにおいては、酸化物半導体層に垂直方向
からのゲート電界に加えて、側面方向からのゲート電界が印加される。すなわち、酸化物
半導体層の全体にゲート電界が印加されることとなり、電流は酸化物半導体層のバルクを
流れる。これによって、高純度真性化による、電気特性の変動の抑制を達成しつつ、トラ
ンジスタの電界効果移動度の向上を図ることが可能となる。
【００５０】
より具体的には、例えば以下の構成とすることができる。
【００５１】
［構成例１］
図１（Ａ）に、本構成例で例示するトランジスタ１００の上面概略図を示す。また図１
（Ｂ）、（Ｃ）はそれぞれ、図１（Ａ）中の切断線Ａ−Ｂ、Ｃ−Ｄにおける断面概略図を
示す。なお、図１（Ａ）では明瞭化のため一部の構成要素は明示していない。
【００５２】
トランジスタ１００は、基板１０１上に設けられ、島状の半導体層１０２と、半導体層
１０２と電気的に接続する一対の電極１０３と、一対の電極１０３上に位置し、半導体層
１０２と重なるゲート絶縁層１０４と、ゲート絶縁層１０４上に位置し、半導体層１０２
と重なるゲート電極１０５と、を有する。
【００５３】
また、基板１０１と半導体層１０２との間には、第１の保護絶縁層１１１が設けられて
いる。また、一対の電極１０３およびゲート電極１０５上に、第２の保護絶縁層１１２が
設けられている。さらに第１の保護絶縁層１１１と第２の保護絶縁層１１２とは、一対の
電極１０３およびゲート電極１０５が設けられていない領域において互いに接して設けら
れている。
【００５４】
半導体層１０２は、酸化物半導体を含む。また半導体層１０２は、少なくともインジウ
ム（Ｉｎ）もしくは亜鉛（Ｚｎ）を含むことが好ましい。または、ＩｎとＺｎの双方を含
むことが好ましい。より好ましくは、Ｉｎ−Ｍ−Ｚｎ系酸化物（ＭはＡｌ、Ｔｉ、Ｇａ、
Ｇｅ、Ｙ、Ｚｒ、Ｓｎ、Ｌａ、ＣｅまたはＨｆ等の金属）で表記される酸化物を含む。
【００５５】
一対の電極１０３のうち、一方はトランジスタ１００のソース電極として機能し、他方
はドレイン電極として機能する。また図１（Ｂ）では、一対の電極１０３はそれぞれ、半
導体層１０２の上面および側面に接して設けられている。
【００５６】
ゲート電極１０５は、ゲート絶縁層１０４を介して半導体層１０２の上面および側面を
囲うようにして設けられている。
【００５７】
ここで、トランジスタのチャネル長（Ｌ長）とは、対向するソース−ドレイン間の距離
とする。またトランジスタのチャネル幅（Ｗ長）とは、チャネル長方向に直交する方向に
おける半導体層の幅とする。なお、トランジスタのソース電極、ドレイン電極、ゲート電
極、および半導体層の形状によっては、チャネル長およびチャネル幅が領域（位置）によ
って異なる場合がある。その場合には、これらの平均値、または最小値などを、トランジ
スタのチャネル長またはチャネル幅として適用することができる。
【００５８】
ゲート電極１０５は半導体層１０２の側面も囲うように設けられるため、半導体層１０
２の側面もチャネル形成領域として機能させることができる。このとき、半導体層１０２
のチャネル幅に対して、半導体層１０２の厚さを０．０５倍以上２０倍以下、好ましくは
０．１倍以上１０倍以下とすることが好ましい。このような形状とすることにより、チャ
ネル幅を小さくした場合であってもオン電流の低下が抑制され、より微細で且つ高速動作
が可能なトランジスタを実現できる。
【００５９】
このように、トランジスタの半導体層の上面および側面を囲うようにしてゲート電極が
設けられ、半導体層の側面近傍に形成されるチャネルを積極的に用いることによりオン電
流が高められたトランジスタの構造を、Ｓｕｒｒｏｕｎｄｅｄ  Ｃｈａｎｎｅｌ（Ｓ−Ｃ
ｈａｎｎｅｌ）構造とも呼ぶことができる。
【００６０】
第１の保護絶縁層１１１および第２の保護絶縁層１１２は、酸素過剰領域を有し、且つ
酸素の拡散を抑制する機能（酸素に対するブロッキング性ともいう）を有する絶縁材料を
用いることができる。例えば、第１の保護絶縁層１１１および第２の保護絶縁層１１２と
して、酸化アルミニウム膜を含む層を用いることができる。そのほか、酸化アルミニウム
、酸化窒化アルミニウム、酸化ガリウム、酸化窒化ガリウム、酸化イットリウム、酸化窒
化イットリウム、酸化ハフニウム、酸化窒化ハフニウム、イットリア安定化ジルコニア（
ＹＳＺ）等の酸素を含む絶縁材料を含む膜を適用することもできる。
【００６１】
酸素過剰領域を有する絶縁膜としては、例えば化学量論的組成を満たす酸素よりも多く
の酸素を含む酸化物絶縁膜を用いることが好ましい。化学量論的組成を満たす酸素よりも
多くの酸素を含む酸化物絶縁膜は、加熱により一部の酸素が脱離する。
【００６２】
また、第１の保護絶縁層１１１および第２の保護絶縁層１１２には、水素の含有量が極
めて低い絶縁材料を用いることが好ましい。例えば、二次イオン質量分析法（ＳＩＭＳ：
Ｓｅｃｏｎｄａｒｙ  Ｉｏｎ  Ｍａｓｓ  Ｓｐｅｃｔｒｏｍｅｔｒｙ）で検出される水素
の含有量が、５×１０２１ａｔｏｍｓ／ｃｍ３未満、好ましくは２×１０２１ａｔｏｍｓ
／ｃｍ３未満、より好ましくは１×１０２１ａｔｏｍｓ／ｃｍ３未満である領域を含む絶
縁材料を用いることができる。
【００６３】
また、第１の保護絶縁層１１１および第２の保護絶縁層１１２に適用する絶縁材料とし
て、上述の酸化物に酸化シリコンを含有させた材料を用いることもできる。例えば酸化シ
リコンを０．１重量％から３０重量％の範囲（例えば５重量％、または１０重量％など）
で含有させた酸化アルミニウムを用いることができる。酸化シリコンをこの範囲で含ませ
ることにより、酸素に対するブロッキング性を低下させることなく、加熱により脱離する
酸素の量を増大させ、且つ膜の応力を低減することができる。
【００６４】
［各構成要素について］
以下では、トランジスタ１００の各構成要素について説明する。
【００６５】
〔半導体層〕
半導体層１０２に含まれる酸化物半導体として、シリコンよりもバンドギャップが広く
、且つキャリア密度の小さい酸化物半導体を用いると、トランジスタのオフ状態における
電流を低減できるため好ましい。
【００６６】
また、半導体層１０２に用いる半導体の結晶性としては、非晶質半導体、結晶性を有す
る半導体（微結晶半導体、多結晶半導体、単結晶半導体、または一部または全部に結晶部
を有する半導体）のいずれを用いてもよい。半導体層１０２に結晶性を有する半導体を用
いると、トランジスタの特性の劣化が抑制されるため好ましい。
【００６７】
特に、半導体層１０２として、複数の結晶部を有し、当該結晶部はｃ軸が半導体層１０
２の被形成面（図１では第１の保護絶縁層１１１の上面）または半導体層１０２の上面に
対し概略垂直に配向し、且つ隣接する結晶部間には粒界を有さない層を用いることが好ま
しい。
【００６８】
半導体層１０２として、このような材料を用いることで、電気特性の変動が抑制され、
信頼性の高いトランジスタ１００を実現できる。
【００６９】
また、半導体層１０２は単層構造または２層以上の積層構造としてもよい。積層構造と
する場合には、異なる組成の酸化物半導体膜を２以上組み合わせてもよい。
【００７０】
なお、半導体層１０２に適用可能な酸化物半導体の好ましい形態とその形成方法につい
ては、後の実施の形態で詳細に説明する。
【００７１】
〔基板〕
基板１０１の材質などに大きな制限はないが、少なくとも工程中の熱処理に耐えうる程
度の耐熱性を有する材料を用いる。例えば、ガラス基板、セラミック基板、石英基板、サ
ファイヤ基板、イットリア安定化ジルコニア（ＹＳＺ）基板などを、基板１０１として用
いてもよい。また、シリコンや炭化シリコンなどの単結晶半導体基板または多結晶半導体
基板、シリコンゲルマニウムなどの化合物半導体基板、ＳＯＩ基板などを適用することも
できる。
【００７２】
また、各種半導体基板やＳＯＩ基板上に半導体素子が設けられたものを、基板１０１と
して用いてもよい。その場合、基板１０１上に層間絶縁層を介してトランジスタ１００を
形成する。このとき、当該層間絶縁層に埋め込まれた接続電極により、トランジスタ１０
０のゲート電極１０５、一対の電極１０３の少なくとも一つが、上記半導体素子と電気的
に接続する構成とすればよい。半導体素子上に層間絶縁層を介してトランジスタ１００を
設けることにより、トランジスタ１００を付加することによる面積の増大を抑制すること
ができる。
【００７３】
〔ゲート電極〕
ゲート電極１０５は、アルミニウム、クロム、銅、タンタル、チタン、モリブデン、タ
ングステンから選ばれた金属、または上述した金属を成分とする合金か、上述した金属を
組み合わせた合金等を用いて形成することができる。また、マンガン、ジルコニウムのい
ずれか一または複数から選択された金属を用いてもよい。また、リン等の不純物元素をド
ーピングした多結晶シリコンに代表される半導体、ニッケルシリサイド等のシリサイドを
用いてもよい。また、ゲート電極１０５は、単層構造でも、二層以上の積層構造としても
よい。例えば、シリコンを含むアルミニウム膜の単層構造、アルミニウム膜上にチタン膜
を積層する二層構造、窒化チタン膜上にチタン膜を積層する二層構造、窒化チタン膜上に
タングステン膜を積層する二層構造、窒化タンタル膜または窒化タングステン膜上にタン
グステン膜を積層する二層構造、チタン膜と、そのチタン膜上にアルミニウム膜を積層し
、さらにその上にチタン膜を形成する三層構造等がある。また、アルミニウムに、チタン
、タンタル、タングステン、モリブデン、クロム、ネオジム、スカンジウムから選ばれた
一または複数の金属を組み合わせた合金膜、もしくはこれらの窒化膜を用いてもよい。
【００７４】
また、ゲート電極１０５は、インジウム錫酸化物、酸化タングステンを含むインジウム
酸化物、酸化タングステンを含むインジウム亜鉛酸化物、酸化チタンを含むインジウム酸
化物、酸化チタンを含むインジウム錫酸化物、インジウム亜鉛酸化物、酸化シリコンを添
加したインジウム錫酸化物等の透光性を有する導電性材料を適用することもできる。また
、上記透光性を有する導電性材料と、上記金属の積層構造とすることもできる。
【００７５】
また、ゲート電極１０５とゲート絶縁層１０４との間に、Ｉｎ−Ｇａ−Ｚｎ系酸窒化物
半導体膜、Ｉｎ−Ｓｎ系酸窒化物半導体膜、Ｉｎ−Ｇａ系酸窒化物半導体膜、Ｉｎ−Ｚｎ
系酸窒化物半導体膜、Ｓｎ系酸窒化物半導体膜、Ｉｎ系酸窒化物半導体膜、金属窒化膜（
ＩｎＮ、ＺｎＮ等）等を設けてもよい。これらの膜は５ｅＶ以上、好ましくは５．５ｅＶ
以上の仕事関数を有し、酸化物半導体の電子親和力よりも大きい値であるため、酸化物半
導体を用いたトランジスタのしきい値電圧をプラスにシフトすることができ、所謂ノーマ
リーオフ特性のスイッチング素子を実現できる。例えば、Ｉｎ−Ｇａ−Ｚｎ系酸窒化物半
導体膜を用いる場合、少なくとも半導体層１０２より高い窒素濃度、具体的には７原子％
以上のＩｎ−Ｇａ−Ｚｎ系酸窒化物半導体膜を用いる。
【００７６】
〔ゲート絶縁層〕
ゲート絶縁層１０４は、例えば酸化シリコン、酸化窒化シリコン、窒化酸化シリコン、
酸化アルミニウム、酸化ハフニウム、酸化ガリウムまたはＧａ−Ｚｎ系金属酸化物、窒化
シリコンなどを用いればよく、積層または単層で設ける。
【００７７】
また、ゲート絶縁層１０４として、ハフニウムシリケート（ＨｆＳｉＯｘ）、窒素が添
加されたハフニウムシリケート（ＨｆＳｉｘＯｙＮｚ）、窒素が添加されたハフニウムア
ルミネート（ＨｆＡｌｘＯｙＮｚ）、酸化ハフニウム、酸化イットリウムなどのｈｉｇｈ
−ｋ材料を用いることでトランジスタのゲートリークを低減できる。
【００７８】
〔一対の電極〕
一対の電極１０３は、導電材料として、アルミニウム、チタン、クロム、ニッケル、銅
、イットリウム、ジルコニウム、モリブデン、銀、タンタル、またはタングステンからな
る単体金属、またはこれを主成分とする合金を単層構造または積層構造として用いること
ができる。例えば、シリコンを含むアルミニウム膜の単層構造、アルミニウム膜上にチタ
ン膜を積層する二層構造、チタン膜上に銅膜を積層する二層構造、タングステン膜上にチ
タン膜を積層する二層構造、銅−マグネシウム−アルミニウム合金膜上に銅膜を積層する
二層構造、チタン膜または窒化チタン膜と、そのチタン膜または窒化チタン膜上に重ねて
アルミニウム膜または銅膜を積層し、さらにその上にチタン膜または窒化チタン膜を形成
する三層構造、モリブデン膜または窒化モリブデン膜と、そのモリブデン膜または窒化モ
リブデン膜上に重ねてアルミニウム膜または銅膜を積層し、さらにその上にモリブデン膜
または窒化モリブデン膜を形成する三層構造等がある。なお、酸化インジウム、酸化錫ま
たは酸化亜鉛を含む透明導電材料を用いてもよい。
【００７９】
以上が、トランジスタ１００の構成例、および各構成要素についての説明である。
【００８０】
［作製方法例１］
以下では、図１に例示したトランジスタ１００の作製方法の一例について、図面を参照
して説明する。図２は、以下に例示する作製方法での各工程における断面概略図である。
【００８１】
〔第１の保護絶縁層の形成〕
まず、基板１０１上に第１の保護絶縁層１１１を形成する（図２（Ａ））。
【００８２】
第１の保護絶縁層１１１の成膜は、例えば酸素を含む雰囲気にてスパッタリング法など
により成膜することができる。そのほか、酸素を含む雰囲気にて、ＣＶＤ（Ｃｈｅｍｉｃ
ａｌ  Ｖａｐｏｒ  Ｄｅｐｏｓｉｔｉｏｎ）法、ＭＢＥ（Ｍｏｌｅｃｕｌａｒ  Ｂｅａｍ
Ｅｐｉｔａｘｙ）法、ＡＬＤ（Ａｔｏｍｉｃ  Ｌａｙｅｒ  Ｄｅｐｏｓｉｔｉｏｎ）法
、またはＰＬＤ（Ｐｕｌｓｅｄ  Ｌａｓｅｒ  Ｄｅｐｏｓｉｔｉｏｎ）法等により成膜し
てもよい。
【００８３】
例えば、第１の保護絶縁層１１１として、酸化アルミニウム膜を用いる場合には、酸化
アルミニウムをスパッタリングターゲットとし、酸素を含む雰囲気下で成膜することがで
きる。なお成膜ガスに希ガスなどの不活性ガスを含ませてもよい。例えば成膜ガス全体の
流量に対する酸素の流量を２０％以上、好ましくは３０％以上、より好ましくは４０％以
上とすることが好ましい。なお、アルミニウムをスパッタリングターゲットとした反応性
スパッタリング法により酸化アルミニウム膜を成膜してもよいが、酸化アルミニウムをス
パッタリングターゲットに用いた方が、より多くの酸素を膜中に含有させることができる
ため好ましい。
【００８４】
〔半導体層の形成〕
続いて、第１の保護絶縁層１１１上に半導体膜を成膜する。その後フォトリソグラフィ
法などを用いて半導体膜上にレジストマスクを形成し、半導体膜の不要な部分をエッチン
グにより除去する。その後レジストマスクを除去することにより、島状の半導体層１０２
を形成することができる（図２（Ｂ））。
【００８５】
半導体膜の成膜は、スパッタリング法、ＣＶＤ法、ＭＢＥ法、ＡＬＤ法、またはＰＬＤ
法等を用いることができる。または、ゾルゲル法やスプレー法、ミスト法など、液状の材
料を用いた薄膜形成技術を用いることもできる。半導体膜の成膜は、スパッタリング法を
用いることが好ましい。スパッタリング法としては、ＲＦスパッタリング法、ＤＣスパッ
タリング法、ＡＣスパッタリング法等を用いることができる。特に、成膜時に発生するゴ
ミを低減でき、且つ膜厚分布も均一とすることから、ＤＣスパッタリング法を用いること
が好ましい。
【００８６】
半導体膜の成膜後、加熱処理を行ってもよい。加熱処理は、２５０℃以上６５０℃以下
、好ましくは３００℃以上５００℃以下の温度で、不活性ガス雰囲気、酸化性ガスを１０
ｐｐｍ以上含む雰囲気、または減圧状態で行えばよい。また、加熱処理の雰囲気は、不活
性ガス雰囲気で加熱処理した後に、脱離した酸素を補うために酸化性ガスを１０ｐｐｍ以
上含む雰囲気で行ってもよい。加熱処理により、第１の保護絶縁層１１１から半導体膜（
または半導体層１０２）に酸素が供給され、半導体層１０２に含まれる酸化物半導体中の
酸素欠損を低減できる。なお、加熱処理は、半導体膜を成膜した直後に行ってもよいし、
半導体膜を加工して島状の半導体層１０２を形成した後に行ってもよい。
【００８７】
レジストマスクの形成に用いる光は、例えばｉ線（波長３６５ｎｍ）、ｇ線（波長４３
６ｎｍ）、ｈ線（波長４０５ｎｍ）、またはこれらを混合させた光を用いることができる
。そのほか、紫外線やＫｒＦレーザ光、またはＡｒＦレーザ光等を用いることもできる。
また、液浸露光技術により露光を行ってもよい。また、露光に用いる光として、極端紫外
光（ＥＵＶ：Ｅｘｔｒｅｍｅ  Ｕｌｔｒａ−ｖｉｏｌｅｔ）やＸ線を用いてもよい。また
、露光に用いる光に換えて、電子ビームを用いることもできる。極端紫外光、Ｘ線または
電子ビームを用いると、極めて微細な加工が可能となるため好ましい。なお、電子ビーム
などのビームを走査することにより露光を行う場合には、フォトマスクは不要である。
【００８８】
ここで、図２（Ｂ）に示すように、半導体膜のエッチング時に第１の保護絶縁層１１１
の一部がエッチングされ、半導体層１０２と重ならない領域で薄膜化する場合がある。半
導体層１０２の下面よりも、半導体層１０２の周囲における第１の保護絶縁層１１１の上
面が低くなることにより、後に形成されるゲート電極１０５が、半導体層１０２の側面の
下部を囲う構成とすることができる。その結果、半導体層１０２の側面の下部にまでゲー
ト電極１０５による電界が十分にかかり、トランジスタ１００のオン電流を増大させるこ
とができる。同様に、図２６に示すように、半導体層１０２の下面よりもゲート電極１０
５の下面が低くなるように第１の保護絶縁層１１１の一部をエッチングすると、よりトラ
ンジスタ１００のオン電流を増大させることができるため好ましい。
【００８９】
また、第１の保護絶縁層１１１に用いる材料や、半導体膜のエッチングの条件によって
は、第１の保護絶縁層１１１がエッチングされない場合もある。このとき、半導体層１０
２上に成膜される膜の被覆性が向上するため好ましい。
【００９０】
また、図２（Ｂ）に示すように半導体層１０２は、その上部の角部がなだらかな曲面と
なるように加工することが好ましい。特に半導体層１０２を微細に加工した場合には、こ
のような形状になることが多い。このような形状の半導体層１０２とすることにより、そ
の上部に設けられる膜の被覆性が向上するため、トランジスタ１００の電気特性のばらつ
きや変動を抑制できるため好ましい。
【００９１】
〔一対の電極の形成〕
続いて、第１の保護絶縁層１１１および半導体層１０２上に導電膜を成膜する。その後
フォトリソグラフィ法などを用いて導電膜上にレジストマスクを形成し、導電膜の不要な
部分をエッチングにより除去する。その後レジストマスクを除去することにより、一対の
電極１０３を形成することができる（図２（Ｃ））。
【００９２】
導電膜は、例えばスパッタリング法、蒸着法、ＣＶＤ法などにより成膜することができ
る。
【００９３】
ここで、図２（Ｃ）に示すように、導電膜のエッチングの際に半導体層１０２の上部の
一部がエッチングされ、一対の電極１０３と重ならない部分が薄膜化することがある。し
たがって、半導体層１０２となる半導体膜の厚さを、エッチングされる深さを考慮して予
め厚く形成しておくことが好ましい。
【００９４】
また、図には明示しないが、導電膜のエッチング時においても、上記と同様に第１の保
護絶縁層１１１の一部がエッチングされ、薄膜化することがある。
【００９５】
〔ゲート絶縁層、ゲート電極の形成〕
続いて、半導体層１０２、一対の電極１０３、第１の保護絶縁層１１１上に絶縁膜を成
膜する。さらに、当該絶縁膜上に導電膜を成膜する。その後フォトリソグラフィ法などを
用いて導電膜上にレジストマスクを形成し、導電膜および絶縁膜の不要な部分をエッチン
グにより除去する。その後レジストマスクを除去することにより、ゲート電極１０５およ
びゲート絶縁層１０４を形成することができる（図２（Ｄ））。
【００９６】
ゲート絶縁層１０４となる絶縁膜は、スパッタリング法、ＣＶＤ法、ＭＢＥ法、ＡＬＤ
法またはＰＬＤ法などを用いて形成することができる。特に、当該絶縁膜をＣＶＤ法、好
ましくはプラズマＣＶＤ法によって成膜すると、被覆性を向上させることができるため好
ましい。
【００９７】
また、ゲート電極１０５となる導電膜は、例えばスパッタリング法、蒸着法、ＣＶＤ法
などにより成膜することができる。
【００９８】
なお、ここではゲート絶縁層１０４をゲート電極１０５の形成時に同時にエッチングし
、ゲート電極１０５と同様の上面形状となるようにゲート絶縁層１０４を加工する場合に
ついて説明するが、ゲート絶縁層１０４がゲート電極１０５よりも外側に延在するような
上面形状となるように、それぞれを個別に加工してもよい。なおこのとき、フォトリソグ
ラフィ法等に用いる露光マスクとして、グレートーンマスクやハーフトーンマスクなどの
多諧調マスクを用いると、工程を簡略化できるため好ましい。
【００９９】
〔第２の保護絶縁層の形成〕
続いて、第１の保護絶縁層１１１、一対の電極１０３、ゲート絶縁層１０４、およびゲ
ート電極１０５上に、第２の保護絶縁層１１２を形成する（図２（Ｅ））。
【０１００】
第２の保護絶縁層１１２は、第１の保護絶縁層１１１と同様の方法により形成すること
ができる。
【０１０１】
ここで、第２の保護絶縁層１１２は、一対の電極１０３およびゲート電極１０５が設け
られていない領域で、第１の保護絶縁層１１１と接するように設けられる。したがって、
第１の保護絶縁層１１１および第２の保護絶縁層１１２により半導体層１０２を囲うこと
ができる。
【０１０２】
以上の工程により、トランジスタ１００を作製することができる。
【０１０３】
〔加熱処理〕
第２の保護絶縁層１１２の形成後、加熱処理を行ってもよい。加熱処理により、第１の
保護絶縁層１１１および第２の保護絶縁層１１２から半導体層１０２に対して酸素を供給
し、半導体層１０２中の酸素欠損を低減することができる。またこのとき、第１の保護絶
縁層１１１および第２の保護絶縁層１１２により、半導体層１０２からの酸素の放出を抑
制し、半導体層１０２中の酸素欠損の形成を抑制することができる。
【０１０４】
以上がトランジスタ１００の作製工程例についての説明である。
【０１０５】
［構成例１の変形例］
以下では、上記構成例１で例示したトランジスタとは構成の一部が異なるトランジスタ
の構成例について説明する。なお、上記と重複する部分については説明を省略し、相違点
についてのみ詳細に説明する。また、位置や形状が異なる構成要素であっても、その機能
が同一である場合には、同一の符号を付し、説明を省略する場合がある。
【０１０６】
〔変形例１〕
図３（Ａ）、（Ｂ）に、以下で例示するトランジスタの断面概略図を示す。なお、上面
概略図は図１（Ａ）を援用できる。図３に示すトランジスタは、主に、半導体層１０２と
第１の保護絶縁層１１１との間に絶縁層１０６を有している点で相違している。
【０１０７】
半導体層１０２の下部に設けられた絶縁層１０６としては、加熱により酸素を放出する
酸化物絶縁材料を含むことが好ましい。半導体層１０２の下部に絶縁層１０６を設けるこ
とで、トランジスタの作製工程中の加熱処理などでかかる熱により、より多くの酸素を半
導体層１０２に供給することが可能となる。また絶縁層１０６と半導体層１０２を含む構
成を、第１の保護絶縁層１１１と第２の保護絶縁層１１２で囲う構成とすることにより、
絶縁層１０６から放出された酸素が外部（基板１０１側または第２の保護絶縁層１１２よ
りも上方）に放出することが抑制され、より効果的に半導体層１０２に酸素を供給するこ
とができる。
【０１０８】
また、絶縁層１０６は、第１の保護絶縁層１１１の上面を覆うように設けることもでき
るが、図３に示すように、半導体層１０２と絶縁層１０６の上面形状が略一致するように
、同一のレジストマスクによって加工されていることが好ましい。このような構成とする
ことで、第１の保護絶縁層１１１と第２の保護絶縁層１１２とがゲート電極１０５および
一対の電極１０３の設けられない領域で接するため、酸素の拡散経路を遮断し、効果的に
半導体層１０２に酸素を供給することができる。
【０１０９】
絶縁層１０６は、化学量論的組成を満たす酸素よりも多くの酸素を含む酸化物絶縁膜を
用いることが好ましい。化学量論的組成を満たす酸素よりも多くの酸素を含む酸化物絶縁
膜は、加熱により一部の酸素が脱離する。化学量論的組成を満たす酸素よりも多くの酸素
を含む酸化物絶縁膜は、昇温脱離ガス分光法（ＴＤＳ：Ｔｈｅｒｍａｌ  Ｄｅｓｏｒｐｔ
ｉｏｎ  Ｓｐｅｃｔｒｏｓｃｏｐｙ）分析にて、酸素原子に換算しての酸素の脱離量が１
．０×１０１８ａｔｏｍｓ／ｃｍ３以上、好ましくは３．０×１０２０ａｔｏｍｓ／ｃｍ
３以上である酸化物絶縁膜である。
【０１１０】
絶縁層１０６として酸化シリコン膜または酸化窒化シリコン膜をプラズマＣＶＤ法によ
り形成する場合、原料ガスとしては、シリコンを含む堆積性気体及び酸化性気体を用いる
ことが好ましい。シリコンを含む堆積性気体の代表例としては、シラン、ジシラン、トリ
シラン、フッ化シラン等がある。酸化性気体としては、酸素、オゾン、一酸化二窒素、二
酸化窒素などがある。
【０１１１】
例えば、プラズマＣＶＤ装置の真空排気された処理室内に載置された基板を１８０℃以
上２６０℃以下、さらに好ましくは２００℃以上２４０℃以下に保持し、処理室に原料ガ
スを導入して処理室内における圧力を１００Ｐａ以上２５０Ｐａ以下、さらに好ましくは
１００Ｐａ以上２００Ｐａ以下とし、処理室内に設けられる電極に０．１７Ｗ／ｃｍ２以
上０．５Ｗ／ｃｍ２以下、さらに好ましくは０．２５Ｗ／ｃｍ２以上０．３５Ｗ／ｃｍ２
以下の高周波電力を供給する条件により、酸化シリコン膜または酸化窒化シリコン膜を形
成する。
【０１１２】
成膜条件として、上記圧力の処理室において上記パワー密度の高周波電力を供給するこ
とで、プラズマ中で原料ガスの分解効率が高まり、酸素ラジカルが増加し、原料ガスの酸
化が進むため、酸化物絶縁膜中における酸素含有量が化学量論比よりも多くなる。しかし
ながら、基板温度が、上記温度であると、シリコンと酸素の結合力が弱いため、加熱によ
り酸素の一部が脱離する。この結果、化学量論的組成を満たす酸素よりも多くの酸素を含
み、加熱により酸素の一部が脱離する酸化物絶縁膜を形成することができる。
【０１１３】
〔変形例２〕
図４には、トランジスタ１００に隣接して容量素子１２０を形成した例を示している。
【０１１４】
容量素子１２０は、トランジスタ１００の一対の電極１０３の一方と、ゲート電極１０
５と同一の導電膜を加工して形成された電極１２５との間に、ゲート絶縁層１０４と同一
の絶縁膜を加工して形成された誘電体層１２４を有する。
【０１１５】
このように、容量素子１２０をトランジスタ１００の作製に用いる膜を加工して形成す
ることで、工程を増やすことなく、トランジスタ１００の作製と同時に容量素子１２０を
作製することができる。
【０１１６】
なお、図４では、トランジスタ１００の一対の電極１０３の一方を、容量素子１２０の
一方の電極として用いる構成を示したが、これに限られず、容量素子１２０の一方の電極
として、トランジスタ１００の一対の電極１０３と同一の導電膜を加工して形成された異
なる電極を用いてもよい。また、ゲート電極１０５と電極１２５、並びにゲート絶縁層１
０４と誘電体層１２４の少なくともいずれかを連続した一体物とし、共通に用いてもよい
。
【０１１７】
ここで、ゲート絶縁層１０４および誘電体層１２４を構成する絶縁膜に用いる材料とし
ては、酸化アルミニウム、酸化ハフニウム、酸化ジルコニウム、酸化タンタル、酸化チタ
ン、チタン酸ストロンチウム、チタン酸バリウムなどの高誘電率材料を用いることが好ま
しい。また、これらの材料にランタン、アルミニウム、イットリウム、またはタングステ
ンなどの金属や、これら金属の酸化物を含む材料を用いてもよい。また、上述の材料を含
む膜を積層して用いてもよい。
【０１１８】
また、当該絶縁膜は、化学量論的組成を満たす酸素よりも多くの酸素を含む酸化物絶縁
膜を用いることが好ましい。このような絶縁膜を用いることで、トランジスタの作製工程
中の加熱処理などでかかる熱により、ゲート絶縁層１０４から半導体層１０２に酸素を供
給することができる。
【０１１９】
以上が変形例についての説明である。
【０１２０】
［構成例２］
以下では、上記構成例１等とは構成の一部が異なるトランジスタの構成例について説明
する。なお、上記と重複する部分については、説明を省略する場合がある。
【０１２１】
図５（Ａ）に、本構成例で例示するトランジスタ２００の上面概略図を示す。また図５
（Ｂ）、（Ｃ）にはそれぞれ、図５（Ａ）中の切断線Ｅ−Ｆ、Ｇ−Ｈにおける断面概略図
を示す。なお、図５（Ａ）では明瞭化のため一部の構成要素は明示していない。
【０１２２】
トランジスタ２００は、基板２０１上に設けられた溝部を有する絶縁層２０７と、絶縁
層２０７上に設けられ、溝部を埋め込むように設けられた半導体層２０２と、半導体層２
０２上に設けられ、半導体層２０２と電気的に接続する一対の電極２０３と、一対の電極
２０３上に位置し、半導体層２０２と重なるゲート絶縁層２０４と、ゲート絶縁層２０４
上に位置し、半導体層２０２と重なるゲート電極２０５と、を有する。
【０１２３】
また、半導体層２０２よりも下方に、絶縁層２０７の溝部の側面および底面を覆うよう
に第１の保護絶縁層２１１が設けられている。第１の保護絶縁層２１１は、図５に示すよ
うに絶縁層２０７の溝部が設けられていない領域における上面を覆って設けられているこ
とが好ましい。また、一対の電極２０３およびゲート電極２０５を覆うように第２の保護
絶縁層２１２が設けられている。さらに第１の保護絶縁層２１１と第２の保護絶縁層２１
２とは、一対の電極２０３およびゲート電極２０５が設けられていない領域において、互
いに接して設けられている。
【０１２４】
半導体層２０２、一対の電極２０３、ゲート絶縁層２０４、ゲート電極２０５等は、そ
れぞれ構成例１における半導体層１０２、一対の電極１０３、ゲート絶縁層１０４、ゲー
ト電極１０５等と同様の材料を用いることができる。また第１の保護絶縁層２１１および
第２の保護絶縁層２１２は、構成例１における第１の保護絶縁層１１１および第２の保護
絶縁層１１２と同様の材料を用いることができる。
【０１２５】
第１の保護絶縁層２１１は、絶縁層２０７に設けられた溝部の側面および底面を覆って
設けられ、さらに半導体層２０２が当該溝部に埋め込まれるように設けられている。半導
体層２０２の側面および下面が第１の保護絶縁層２１１により囲まれている構成であるた
め、絶縁層２０７から半導体層２０２へ水素などの不純物が拡散することが抑制されると
ともに、半導体層２０２から絶縁層２０７に向かって酸素が放出されてしまうことが抑制
される。
【０１２６】
また、溝部の深さを調整することで半導体層２０２の厚さを厚くすることができるため
、トランジスタ２００のオン電流の増大や、ソース−ドレイン間の耐圧を向上させること
が容易となる。例えば、平坦面上に厚い半導体層を形成した場合では、その上層に設けら
れる膜が半導体層を被覆することが困難となり、膜が分断してしまう、または膜中に低密
度な領域が形成されてしまう恐れがある。一方、本構成例では、溝部を埋め込むように半
導体層２０２が設けられ、その上面の高さと第１の保護絶縁層２１１の上面の高さとが概
略一致するように形成される。したがって、その上層に設けられる膜の被覆性に悪影響を
及ぼすことなく、半導体層２０２を厚く形成することができる。
【０１２７】
以上がトランジスタ２００の構成例についての説明である。
【０１２８】
［作製方法例２］
以下では、図５に例示したトランジスタ２００の作製方法の一例について、図面を参照
して説明する。図６は、以下に例示する作製方法での各工程における断面概略図である。
【０１２９】
〔絶縁層の形成〕
まず、基板２０１上に絶縁層２０７を形成する。
【０１３０】
絶縁層２０７は、スパッタリング法、ＣＶＤ法、または蒸着法等で形成することができ
る。
【０１３１】
絶縁層２０７としては、酸化シリコン、酸化窒化シリコン、窒化シリコン、窒化酸化シ
リコン、酸化アルミニウム、酸化窒化アルミニウム、酸化ガリウム、酸化窒化ガリウム、
酸化イットリウム、酸化窒化イットリウム、酸化ハフニウム、酸化窒化ハフニウム等の絶
縁材料を用いることができる。
【０１３２】
また、絶縁層２０７として、異なる絶縁材料からなる膜を積層して用いてもよい。絶縁
層２０７を積層構造とすることで、下方に設けられる膜を、後の溝部の形成時におけるエ
ッチングストッパとして機能させることができる。
【０１３３】
〔溝部の形成〕
続いて、フォトリソグラフィ法などを用いて絶縁層２０７上にレジストマスクを形成し
、絶縁層２０７の上部をエッチングにより除去する。その後レジストマスクを除去するこ
とにより、絶縁層２０７に溝部を形成することができる。
【０１３４】
ここで、上述のように、絶縁層２０７を異なる材料からなる多層構造とすることで、エ
ッチングを容易なものとすることができる。さらに、下方に設けられる層をエッチングス
トッパとして用いることにより、溝部の底面を平坦なものにできるため好ましい。
【０１３５】
また、溝部の深さを深いものとする場合には、エッチングの途中でレジストマスクが消
失してしまう恐れがある。その場合には、絶縁層２０７のエッチング時にエッチングされ
にくい材料（すなわち、薄膜に対する絶縁層２０７の選択比が大きい材料）からなる薄膜
を予め形成し、レジストマスクにより当該薄膜をエッチングする。その後、薄膜をハード
マスクとして用いて絶縁層２０７の上部をエッチングすることにより溝部を形成してもよ
い。ハードマスクとして用いる薄膜が絶縁性の場合には、溝部の形成後、ハードマスクを
そのまま残存させてもよい。
【０１３６】
〔第１の保護絶縁層の形成〕
続いて、絶縁層２０７上に、溝部の側面および底面を覆うように第１の保護絶縁層２１
１を形成する（図６（Ａ））。
【０１３７】
第１の保護絶縁層２１１の成膜は、作製方法例１における第１の保護絶縁層１１１と同
様に形成する。
【０１３８】
〔半導体層の形成〕
続いて、第１の保護絶縁層２１１上に、半導体膜を成膜する。溝部を半導体膜により完
全に埋め込む場合には、半導体膜の溝部と重なる部分の上面の高さが、第１の保護絶縁層
２１１の溝部と重ならない部分の高さと同等かそれ以上となるように成膜することが好ま
しい。
【０１３９】
半導体膜の成膜は、上記作製方法例１と同様に成膜することができる。
【０１４０】
半導体膜の成膜後、加熱処理を行ってもよい。加熱処理は上記作製方法例１と同様に行
うことができる。加熱処理により、第１の保護絶縁層２１１から半導体膜（または半導体
層２０２）に酸素が供給され、半導体層２０２に含まれる酸化物半導体中の酸素欠損を低
減できる。なお、加熱処理は、半導体膜を成膜した直後に行ってもよいし、半導体膜を加
工して島状の半導体層２０２を形成した後に行ってもよい。
【０１４１】
続いて、平坦化処理を行い、半導体膜の上面が第１の保護絶縁層２１１の溝部と重なら
ない部分の上面と一致するように加工することにより、溝部に埋め込まれた島状の半導体
層２０２を形成することができる（図６（Ｂ））。
【０１４２】
平坦化処理としては、例えばＣＭＰ（Ｃｈｅｍｉｃａｌ  Ｍｅｃｈａｎｉｃａｌ  Ｐｏ
ｌｉｓｈｉｎｇ）などの研磨処理やエッチング処理を用いればよい。
【０１４３】
ここで、第１の保護絶縁層２１１として酸化アルミニウムなどを用い、平坦化処理とし
てＣＭＰなどの研磨処理を用いた場合、第１の保護絶縁層２１１をエッチングストッパと
して機能させることができる。したがって、平坦化処理により半導体層２０２の厚さが薄
くなることを抑制でき、さらにはその厚さのばらつきも低減させることができる。
【０１４４】
〔一対の電極の形成〕
続いて、第１の保護絶縁層２１１および半導体層２０２上に導電膜を成膜する。その後
フォトリソグラフィ法などを用いて導電膜上にレジストマスクを形成し、導電膜の不要な
部分をエッチングにより除去する。その後レジストマスクを除去することにより、一対の
電極２０３を形成することができる（図６（Ｃ））。
【０１４５】
導電膜は、例えばスパッタリング法、蒸着法、ＣＶＤ法などにより成膜することができ
る。
【０１４６】
ここで、図６（Ｃ）に示すように、導電膜のエッチングの際に半導体層２０２の上部の
一部がエッチングされ、一対の電極２０３と重ならない部分が薄膜化することがある。し
たがって、半導体層２０２となる半導体膜の厚さ（すなわち、溝部の深さ）を、エッチン
グされる深さを考慮して予め厚く形成しておくことが好ましい。
【０１４７】
また、図には明示しないが、導電膜のエッチングの際に第１の保護絶縁層２１１の一部
もエッチングされ、薄膜化することがある。
【０１４８】
〔ゲート絶縁層、ゲート電極の形成〕
続いて、半導体層２０２、一対の電極２０３、第１の保護絶縁層２１１上に絶縁膜を成
膜する。さらに当該絶縁膜上に導電膜を成膜する。その後フォトリソグラフィ法などを用
いて導電膜上にレジストマスクを形成し、導電膜および絶縁膜の不要な部分をエッチング
により除去する。その後レジストマスクを除去することにより、ゲート電極２０５および
ゲート絶縁層２０４を形成することができる（図６（Ｄ））。
【０１４９】
ゲート絶縁層２０４となる絶縁膜、ゲート電極２０５となる導電膜は、上記作製方法例
１と同様の方法により形成できる。
【０１５０】
なお、ここではゲート絶縁層２０４をゲート電極２０５の形成時に同時にエッチングし
、ゲート電極２０５と同様の上面形状となるようにゲート絶縁層２０４を加工する場合に
ついて説明するが、ゲート絶縁層２０４がゲート電極２０５よりも外側に延在するような
上面形状となるように、それぞれを個別に加工してもよい。なおこのとき、フォトリソグ
ラフィ法等に用いる露光マスクとして、グレートーンマスクやハーフトーンマスクなどの
多諧調マスクを用いると、工程を簡略化できるため好ましい。
【０１５１】
〔第２の保護絶縁層の形成〕
続いて、第１の保護絶縁層２１１、一対の電極２０３、ゲート絶縁層２０４、およびゲ
ート電極２０５上に、第２の保護絶縁層２１２を形成する（図６（Ｅ））。
【０１５２】
第２の保護絶縁層２１２は、第１の保護絶縁層２１１と同様の方法により形成すること
ができる。
【０１５３】
ここで、第２の保護絶縁層２１２は、一対の電極２０３およびゲート電極２０５が設け
られていない領域で、第１の保護絶縁層２１１と接するように設けられる。したがって、
第１の保護絶縁層２１１および第２の保護絶縁層２１２により半導体層２０２を囲うこと
ができる。
【０１５４】
以上の工程により、トランジスタ２００を作製することができる。
【０１５５】
〔加熱処理〕
第２の保護絶縁層２１２の形成後、加熱処理を行ってもよい。加熱処理により、第１の
保護絶縁層２１１および第２の保護絶縁層２１２から半導体層２０２に対して酸素を供給
し、半導体層２０２中の酸素欠損を低減することができる。またこのとき、第１の保護絶
縁層２１１および第２の保護絶縁層２１２により、半導体層２０２からの酸素の放出を抑
制し、半導体層２０２中の酸素欠損の形成を抑制することができる。
【０１５６】
以上がトランジスタ２００の作製工程例についての説明である。
【０１５７】
［構成例２の変形例］
以下では、上記構成例２で例示したトランジスタとは構成の一部が異なるトランジスタ
の構成例について説明する。なお、上記と重複する部分については説明を省略し、相違点
についてのみ詳細に説明する。また、位置や形状が異なる構成要素であっても、その機能
が同一である場合には、同一の符号を付し、説明を省略する場合がある。
【０１５８】
〔変形例１〕
図７（Ａ）、（Ｂ）に、以下で例示するトランジスタの断面概略図を示す。なお、上面
概略図は図５（Ａ）を援用できる。図７に示すトランジスタは、主に、半導体層２０２と
第１の保護絶縁層２１１との間に絶縁層２０６を有している点で相違している。
【０１５９】
絶縁層２０７に設けられた溝部において、絶縁層２０６は、第１の保護絶縁層２１１の
側面および上面を覆って設けられている。また絶縁層２０６は、半導体層２０２の側面お
よび下面を覆って設けられている。
【０１６０】
半導体層２０２の下部に設けられた絶縁層２０６としては、加熱により酸素を放出する
酸化物絶縁材料を含むことが好ましい。半導体層２０２の下部に絶縁層２０６を設けるこ
とで、トランジスタの作製工程中の加熱処理などでかかる熱により、より多くの酸素を半
導体層２０２に供給することが可能となる。また絶縁層２０６と半導体層２０２を含む構
成を、第１の保護絶縁層２１１と第２の保護絶縁層２１２で囲う構成とすることにより、
絶縁層２０６から放出された酸素が外部（絶縁層２０７側または第２の保護絶縁層２１２
よりも上方）に放出することが抑制され、より効果的に半導体層２０２に酸素を供給する
ことができる。
【０１６１】
また、絶縁層２０６は、第１の保護絶縁層２１１の溝部と重ならない領域の上面も覆う
ように設けることもできるが、平坦化処理により溝部の内側に設けられるように加工され
ていることが好ましい。このような構成とすることで、第１の保護絶縁層２１１と第２の
保護絶縁層２１２とがゲート電極２０５および一対の電極２０３の設けられない領域で接
するため、酸素の拡散経路を遮断し、効果的に半導体層２０２に酸素を供給することがで
きる。
【０１６２】
絶縁層２０６は、上記絶縁層１０６と同様に、化学量論的組成を満たす酸素よりも多く
の酸素を含む酸化物絶縁膜を用いることが好ましい。
【０１６３】
〔変形例２〕
図８には、トランジスタ２００に隣接して容量素子２２０を形成した例を示している。
【０１６４】
容量素子２２０は、トランジスタ２００の一対の電極２０３の一方と、ゲート電極２０
５と同一の導電膜を加工して形成された電極２２５との間に、ゲート絶縁層２０４と同一
の絶縁膜を加工して形成された誘電体層２２４を有する。
【０１６５】
このように、容量素子２２０をトランジスタ２００の作製に用いる膜を加工して形成す
ることで、工程を増やすことなく、トランジスタ２００の作製と同時に容量素子２２０を
作製することができる。
【０１６６】
なお、図８では、トランジスタ２００の一対の電極２０３の一方を、容量素子２２０の
一方として用いる構成を示したが、これに限られず、容量素子２２０の一方の電極として
、トランジスタ２００の一対の電極２０３と同一の導電膜を加工して形成された異なる電
極を用いてもよい。また、ゲート電極２０５と電極２２５、並びにゲート絶縁層２０４と
誘電体層２２４の少なくともいずれかを連続した一体物とし、共通に用いてもよい。
【０１６７】
ここで、ゲート絶縁層２０４および誘電体層２２４を構成する絶縁膜に用いる材料とし
ては、酸化アルミニウム、酸化ハフニウム、酸化ジルコニウム、酸化タンタル、酸化チタ
ン、チタン酸ストロンチウム、チタン酸バリウムなどの高誘電率材料を用いることが好ま
しい。また、これらの材料にランタン、アルミニウム、イットリウム、またはタングステ
ンなどの金属や、これら金属の酸化物を含む材料を用いてもよい。また、上述の材料を含
む膜を積層して用いてもよい。
【０１６８】
また、当該絶縁膜は、化学量論的組成を満たす酸素よりも多くの酸素を含む酸化物絶縁
膜を用いることが好ましい。このような絶縁膜を用いることで、トランジスタの作製工程
中の加熱処理などでかかる熱により、ゲート絶縁層２０４からも半導体層２０２に酸素を
供給することができる。
【０１６９】
〔変形例３〕
基板上に複数のトランジスタを配置する場合、一つのトランジスタに対して一つの溝部
を設けるのではなく、複数のトランジスタに対して一つの溝部を設ける構成とすることで
、トランジスタをより高密度に集積することができる。
【０１７０】
その一例として、図９では、４つのトランジスタ２００を直列に接続する場合において
、絶縁層２０７に設けられた一つの溝部の上部に４つのトランジスタ２００を形成する場
合を示している。図９（Ａ）は、上面概略図であり、図９（Ｂ）は図９（Ａ）中の切断線
Ｉ−Ｊにおける断面概略図である。
【０１７１】
図９（Ｂ）に示すように、絶縁層２０７に形成された一つの溝部の上部に、４つのトラ
ンジスタ２００が形成されている。また隣接する２つのトランジスタ２００において、共
通の電極２０３が設けられていることにより、当該２つのトランジスタ２００が直列に接
続されている。一方ゲート電極２０５はそれぞれのトランジスタ２００に独立に設けられ
ている。
【０１７２】
第１の保護絶縁層２１１と第２の保護絶縁層２１２とは、両端に設けられた電極２０３
よりも外側の領域で接し、４つのトランジスタ２００を囲うように設けられている。
【０１７３】
このような直列接続されたトランジスタ２００を適用可能な回路構成の一例を、図９（
Ｃ）に示す。図９（Ｃ）に示す回路は、４つトランジスタと３つの容量素子を有する。隣
接する２つのトランジスタにおいて、一方のトランジスタのソースまたはドレインが、他
方のトランジスタのソースまたはドレインと電気的に接続されノードを形成し、当該ノー
ドに、容量素子の一方の電極が電気的に接続されている。
【０１７４】
例えば、容量素子は上記変形例２で例示した容量素子２２０の構成を適用することがで
きる。
【０１７５】
図９（Ｃ）に示す回路は、以下に示すような電位を与えることで例えばシフトレジスタ
として機能させることができる。
【０１７６】
３つの容量素子のそれぞれの他方の電極には、共通電位が与えられる。また、４つのト
ランジスタのうち、左から１つめと３つめのトランジスタのゲートには同一のクロック信
号（ＣＬＫ１）が与えられ、２つめと４つめのトランジスタのゲートには同一のクロック
信号（ＣＬＫ２）が与えられる。また１つめのトランジスタのソースまたはドレインの一
方を入力電位（ＩＮ）が与えられる入力端子、４つめのトランジスタのソースまたはドレ
インの一方を出力電位（ＯＵＴ）が出力される出力端子とする。ＣＬＫ１とＣＬＫ２とし
て、それぞれ重複することなく交互にトランジスタをオン状態とさせる電位（例えばハイ
レベル電位）となるようなクロック信号を用いることにより、入力端子に与えられる電位
の情報を左から右側にシフトさせることができる。
【０１７７】
また、図９（Ｄ）に示す構成は、図９（Ｃ）の回路に直列接続された複数の読み出し用
のトランジスタ２６０を付加した構成である。トランジスタ２６０の各々は、容量素子の
一方の電極のノードに電気的に接続されている。また、各々の容量素子の他方の電極には
読み出し用の電位が与えられる。このような構成とすることで、図９（Ｄ）に示す回路を
容量素子の一方の電極が接続されたノードに保持された電位の情報を随時読み出し可能な
ＮＡＮＤ型の記憶装置として機能させることができる。ここで、例えばトランジスタ２６
０は、トランジスタ２００と同様に酸化物半導体が適用されたトランジスタを用いてもよ
いし、以下の実施の形態で例示するように、異なる半導体が適用されたトランジスタを用
いてもよい。
【０１７８】
以上が変形例についての説明である。
【０１７９】
本実施の形態は、本明細書中に記載する他の実施の形態と適宜組み合わせて実施するこ
とができる。
【０１８０】
（実施の形態２）
本実施の形態では、実施の形態１で例示したトランジスタとは構成の一部が異なるトラ
ンジスタの構成例について説明する。なお、上記と重複する部分については、説明を省略
し、相違点についてのみ詳細に説明する。また、位置や形状が異なる構成要素であっても
、その機能が同一である場合には、同一の符号を付し、説明を省略する場合がある。
【０１８１】
本発明の一態様の半導体装置は、酸化物半導体層と、該酸化物半導体層と重なるゲート
絶縁層及び保護絶縁層との間に、酸化物半導体層を構成する金属元素のうち、少なくとも
一の金属元素を構成元素として含む酸化物層を有することが好ましい。これにより、酸化
物半導体層と、該酸化物半導体層と重なる絶縁層との界面にトラップ準位が形成されるこ
とを抑制することができるため、トランジスタの電気特性の劣化を抑制することができる
。
【０１８２】
すなわち、本発明の一態様は、酸化物半導体層の少なくとも上面及び下面が酸化物半導
体層の界面準位形成防止のためのバリア膜として機能する酸化物層によって覆われ、チャ
ネル幅方向における酸化物半導体層の上面及び側面がゲート絶縁層を介してゲート電極に
よって覆われ、且つ、酸化物半導体層を包み込むように酸化アルミニウム膜を含む絶縁層
を設けた構成とすることがより好ましい。このような構成とすることで、酸化物半導体層
中及び界面においてキャリアの生成要因となる酸素欠損の生成及び不純物の混入を抑制す
ることが可能となるため、酸化物半導体層を高純度真性化することができる。高純度真性
化とは、酸化物半導体層を真性または実質的に真性にすることをいう。よって、当該酸化
物半導体層を含むトランジスタの電気特性の変動を抑制し、信頼性の高い半導体装置を提
供することが可能となる。
【０１８３】
なお、本明細書等において実質的に真性という場合、酸化物半導体層のキャリア密度は
、１×１０１７／ｃｍ３未満、１×１０１５／ｃｍ３未満、または１×１０１３／ｃｍ３
未満である。酸化物半導体層を高純度真性化することで、トランジスタに安定した電気特
性を付与することができる。
【０１８４】
より具体的には、例えば以下の構成とすることができる。
【０１８５】
［構成例１］
図１０（Ａ）、（Ｂ）に、以下で例示するトランジスタ１５０の断面概略図を示す。な
お、上面概略図については、図１（Ａ）を援用できる。図１０に示すトランジスタ１５０
は、主に第１の酸化物層１５１および第２の酸化物層１５２を有している点で、実施の形
態１で例示したトランジスタ１００と相違している。
【０１８６】
第１の酸化物層１５１は、第１の保護絶縁層１１１と半導体層１０２の間に設けられて
いる。また、第２の酸化物層１５２は、半導体層１０２とゲート絶縁層１０４との間に設
けられている。
【０１８７】
より具体的には、第２の酸化物層１５２は、その上面が一対の電極１０３の下面、およ
びゲート絶縁層１０４の下面に接して設けられている。
【０１８８】
第１の酸化物層１５１および第２の酸化物層１５２は、それぞれ半導体層１０２と同一
の金属元素を一種以上含む酸化物を含む。
【０１８９】
なお、半導体層１０２と第１の酸化物層１５１の境界、または半導体層１０２と第２の
酸化物層１５２との境界は不明瞭である場合がある。
【０１９０】
例えば、第１の酸化物層１５１および第２の酸化物層１５２は、Ｉｎ若しくはＧａを含
み、代表的には、Ｉｎ−Ｇａ系酸化物、Ｉｎ−Ｚｎ系酸化物、Ｉｎ−Ｍ−Ｚｎ系酸化物（
ＭはＡｌ、Ｔｉ、Ｇａ、Ｙ、Ｚｒ、Ｌａ、Ｃｅ、ＮｄまたはＨｆ）であり、且つ半導体層
１０２よりも伝導帯の下端のエネルギーが真空準位に近い材料を用いる。代表的には、第
１の酸化物層１５１または第２の酸化物層１５２の伝導帯の下端のエネルギーと、半導体
層１０２の伝導帯の下端のエネルギーとの差が、０．０５ｅＶ以上、０．０７ｅＶ以上、
０．１ｅＶ以上、または０．１５ｅＶ以上、且つ２ｅＶ以下、１ｅＶ以下、０．５ｅＶ以
下、または０．４ｅＶ以下とすることが好ましい。
【０１９１】
半導体層１０２を挟むように設けられる第１の酸化物層１５１および第２の酸化物層１
５２に、半導体層１０２に比べてスタビライザとして機能するＧａの含有量の多い酸化物
を用いることにより、半導体層１０２からの酸素の放出を抑制することができる。
【０１９２】
半導体層１０２として、例えばＩｎ：Ｇａ：Ｚｎ＝１：１：１または３：１：２の原子
数比のＩｎ−Ｇａ−Ｚｎ系酸化物を用いた場合、第１の酸化物層１５１または第２の酸化
物層１５２として、例えばＩｎ：Ｇａ：Ｚｎ＝１：３：２、１：３：４、１：３：６、１
：６：４、１：６：８、１：６：１０、または１：９：６などの原子数比のＩｎ−Ｇａ−
Ｚｎ系酸化物を用いることができる。なお、半導体層１０２、第１の酸化物層１５１およ
び第２の酸化物層１５２の原子数比はそれぞれ、誤差として上記の原子数比のプラスマイ
ナス２０％の変動を含む。また、第１の酸化物層１５１と第２の酸化物層１５２は、組成
の同じ材料を用いてもよいし、異なる組成の材料を用いてもよい。
【０１９３】
また、半導体層１０２としてＩｎ−Ｍ−Ｚｎ系酸化物を用いた場合、半導体層１０２と
なる半導体膜を成膜するために用いるターゲットは、該ターゲットが含有する金属元素の
原子数比をＩｎ：Ｍ：Ｚｎ＝ｘ１：ｙ１：ｚ１としたときに、ｘ１／ｙ１の値が１／３以
上６以下、好ましくは１以上６以下であり、ｚ１／ｙ１が１／３以上６以下、好ましくは
１以上６以下の原子数比の酸化物を用いることが好ましい。なお、ｚ１／ｙ１を６以下と
することで、後述するＣＡＡＣ−ＯＳ膜が形成されやすくなる。ターゲットの金属元素の
原子数比の代表例としては、Ｉｎ：Ｍ：Ｚｎ＝１：１：１、３：１：２などがある。
【０１９４】
また、第１の酸化物層１５１、第２の酸化物層１５２としてＩｎ−Ｍ−Ｚｎ系酸化物を
用いた場合、第１の酸化物層１５１、第２の酸化物層１５２となる酸化物膜を成膜するた
めに用いるターゲットは、該ターゲットが含有する金属元素の原子数比をＩｎ：Ｍ：Ｚｎ
＝ｘ２：ｙ２：ｚ２としたときに、ｘ２／ｙ２＜ｘ１／ｙ１であり、ｚ２／ｙ２の値が１
／３以上６以下、好ましくは１以上６以下の原子数比の酸化物を用いることが好ましい。
なお、ｚ２／ｙ２を６以下とすることで、後述するＣＡＡＣ−ＯＳ膜が形成されやすくな
る。ターゲットの金属元素の原子数比の代表例としては、Ｉｎ：Ｍ：Ｚｎ＝１：３：４、
１：３：６、１：３：８などがある。
【０１９５】
また、第１の酸化物層１５１および第２の酸化物層１５２に、半導体層１０２に比べて
伝導帯の下端のエネルギーが真空準位に近い材料を用いることにより、半導体層１０２に
主としてチャネルが形成され、半導体層１０２が主な電流経路となる。このように、チャ
ネルが形成される半導体層１０２を、同じ金属元素を含む第１の酸化物層１５１および第
２の酸化物層１５２で挟持することにより、これらの界面準位の生成が抑制され、トラン
ジスタの電気特性における信頼性が向上する。
【０１９６】
なお、これらに限られず、必要とするトランジスタの半導体特性及び電気特性（電界効
果移動度、しきい値電圧等）に応じて適切な組成のものを用いればよい。また、必要とす
るトランジスタの半導体特性を得るために、半導体層１０２、第１の酸化物層１５１、第
２の酸化物層１５２のキャリア密度や不純物濃度、欠陥密度、金属元素と酸素の原子数比
、原子間距離、密度等を適切なものとすることが好ましい。
【０１９７】
ここで、半導体層１０２の厚さは、少なくとも第１の酸化物層１５１よりも厚く形成す
ることが好ましい。半導体層１０２が厚いほど、トランジスタのオン電流を高めることが
できる。また、第１の酸化物層１５１は半導体層１０２の界面準位の生成を抑制する効果
が失われない程度の厚さであればよい。例えば、半導体層１０２の厚さは、第１の酸化物
層１５１の厚さに対して１倍よりも大きく、好ましくは２倍以上、より好ましくは４倍以
上、より好ましくは６倍以上とすればよい。
【０１９８】
また、第２の酸化物層１５２も第１の酸化物層１５１と同様に、半導体層１０２の界面
準位の生成を抑制する効果が失われない程度の厚さであればよい。例えば、第１の酸化物
層１５１と同等またはそれ以下の厚さとすればよい。第２の酸化物層１５２が厚いと、ゲ
ート電極１０５による電界が半導体層１０２に届きにくくなる恐れがあるため、第２の酸
化物層１５２は薄く形成することが好ましい。なおこれに限られず、第２の酸化物層１５
２の厚さはゲート絶縁層１０４の耐圧を考慮して、トランジスタ１５０を駆動させる電圧
に応じて適宜設定すればよい。
【０１９９】
また、図１０（Ｂ）に示すように、酸化物層１５１の下面よりも、酸化物層１５１の周
囲における第１の保護絶縁層１１１の上面を低くし、ゲート電極１０５が半導体層１０２
の側面の下部を囲う構成とすることが好ましい。その結果、半導体層１０２の側面の下部
にまでゲート電極１０５による電界が十分にかかり、トランジスタ１５０のオン電流を増
大させることができる。同様に、図２７に示すように、酸化物層１５１の下面よりもゲー
ト電極１０５の下面を低くすると、よりトランジスタ１５０のオン電流を増大させること
ができるため好ましい。
【０２００】
ここで、トランジスタ１５０のチャネル形成領域におけるバンド構造について説明する
。
【０２０１】
図１１（Ａ）、（Ｂ）は、チャネル形成領域の厚さ方向におけるエネルギーバンド構造
を模式的に示している。
【０２０２】
図１１（Ａ）、（Ｂ）において、ＥｃＩ１、ＥｃＳ１、ＥｃＳ２、ＥｃＳ３、ＥｃＩ２
はそれぞれ第１の保護絶縁層１１１、第１の酸化物層１５１、半導体層１０２、第２の酸
化物層１５２、ゲート絶縁層１０４の伝導帯下端のエネルギーを模式的に示している。な
おここでは便宜上、それぞれの層の厚さは考慮していない。
【０２０３】
ここで、真空準位と伝導帯下端のエネルギーとの差（電子親和力ともいう）は、真空準
位と価電子帯上端のエネルギーとの差（イオン化ポテンシャルともいう）からエネルギー
ギャップを引いた値となる。なお、エネルギーギャップは、分光エリプソメータ（例えば
ＨＯＲＩＢＡ  ＪＯＢＩＮ  ＹＶＯＮ社  ＵＴ−３００）を用いて測定できる。また、真
空準位と価電子帯上端のエネルギー差は、紫外線光電子分光分析（ＵＰＳ：Ｕｌｔｒａｖ
ｉｏｌｅｔ  Ｐｈｏｔｏｅｌｅｃｔｒｏｎ  Ｓｐｅｃｔｒｏｓｃｏｐｙ）装置（例えばＰ
ＨＩ社  ＶｅｒｓａＰｒｏｂｅ）を用いて測定できる。
【０２０４】
図１１（Ａ）に示すように、第１の酸化物層１５１、半導体層１０２、第２の酸化物層
１５２において、伝導帯下端のエネルギーはこれらの間に障壁が無く連続的に変化する。
これは、第１の酸化物層１５１、半導体層１０２、第２の酸化物層１５２の組成が近似す
ることにより酸素が相互に拡散しやすく、２層の間に混合層とも呼ぶべき層が形成されて
いるためと理解できる。
【０２０５】
なお、図１１（Ａ）では第１の酸化物層１５１及び第２の酸化物層１５２が同様のエネ
ルギーギャップを有する酸化物層である場合について示したが、それぞれが異なるエネル
ギーギャップを有する酸化物層であっても構わない。例えば、ＥｃＳ１よりもＥｃＳ３が
高いエネルギーを有する場合、バンド構造の一部は、図１１（Ｂ）のように示される。ま
た、図示しないが、ＥｃＳ３よりもＥｃＳ１が高いエネルギーを有していても構わない。
【０２０６】
図１１（Ａ）、（Ｂ）より、チャネル形成領域において半導体層１０２がウェル（井戸
）となり、チャネルが半導体層１０２に形成されることがわかる。なお、第１の酸化物層
１５１、半導体層１０２、および第２の酸化物層１５２は伝導帯下端のエネルギーが連続
的に変化しているため、Ｕ字型井戸（Ｕ  Ｓｈａｐｅ  Ｗｅｌｌ）とも呼ぶことができる
。またこのような構成で形成されたチャネルを埋め込みチャネルということもできる。
【０２０７】
第１の酸化物層１５１及び第２の酸化物層１５２は、半導体層１０２を構成する金属元
素を一種以上含む酸化物であるから、第１の酸化物層１５１、半導体層１０２および第２
の酸化物層１５２が積層された積層構造は主成分を共通して積層された酸化物積層ともい
える。（以下、第１の酸化物層１５１、半導体層１０２および第２の酸化物層１５２が積
層された積層構造を酸化物積層とも表記する。）主成分を共通として積層された酸化物積
層は、各層を単に積層するのではなく、連続接合（ここでは、特に伝導帯下端のエネルギ
ーが各層の間で連続的に変化するＵ字型の井戸構造）が形成されるように作製することが
好ましい。なぜなら、各層の界面にトラップ中心や再結合中心のような欠陥準位を形成す
るような不純物が混在していると、エネルギーバンドの連続性が失われ、界面でキャリア
がトラップあるいは再結合により消滅してしまうためである。
【０２０８】
連続接合を形成するためには、ロードロック室を備えたマルチチャンバー方式の成膜装
置（例えばスパッタリング装置）を用いて各層を大気に触れさせることなく連続して積層
することが好ましい。スパッタリング装置における各チャンバーは、酸化物半導体にとっ
て不純物となる水等を可能な限り除去すべくクライオポンプのような吸着式の真空排気ポ
ンプを用いて高真空排気（５×１０−７Ｐａ〜１×１０−４Ｐａ程度まで）することが好
ましい。または、ターボ分子ポンプとコールドトラップを組み合わせて排気系からチャン
バー内に気体が逆流しないようにしておくことが好ましい。
【０２０９】
高純度真性酸化物半導体を得るためには、チャンバー内を高真空排気するのみならずス
パッタガスの高純度化も必要である。スパッタガスとして用いる酸素ガスやアルゴンガス
は、露点が−４０℃以下、好ましくは−８０℃以下、より好ましくは−１００℃以下にま
で高純度化したガスを用いることで酸化物半導体に水分等が取り込まれることを可能な限
り防ぐことができる。
【０２１０】
半導体層１０２の上層または下層に設けられる第１の酸化物層１５１及び第２の酸化物
層１５２はバリア層として機能し、酸化物積層に接する絶縁層（第１の保護絶縁層１１１
及びゲート絶縁層１０４）と、酸化物積層との界面に形成されるトラップ準位の影響が、
トランジスタのキャリアの主な経路（キャリアパス）となる半導体層１０２へと及ぶこと
を抑制することができる。
【０２１１】
例えば、半導体層に含まれる酸素欠損は、酸化物半導体のエネルギーギャップ内の深い
エネルギー位置に存在する局在準位として顕在化する。このような局在準位にキャリアが
トラップされることで、トランジスタの信頼性が低下するため、半導体層に含まれる酸素
欠損を低減することが必要となる。酸化物積層においては、半導体層１０２と比較して酸
素欠損の生じにくい酸化物層を半導体層１０２の上下に接して設けることで、半導体層１
０２における酸素欠損を低減することができる。例えば、半導体層１０２は、一定電流測
定法（ＣＰＭ：Ｃｏｎｓｔａｎｔ  Ｐｈｏｔｏｃｕｒｒｅｎｔ  Ｍｅｔｈｏｄ）により測
定された局在準位による吸収係数を１×１０−３／ｃｍ未満、好ましくは１×１０−４／
ｃｍ未満とすることができる。
【０２１２】
また、半導体層１０２が、構成元素の異なる絶縁層（例えば酸化シリコン膜を含む絶縁
層）と接する場合、２層の界面に界面準位が形成され、該界面準位はチャネルを形成する
ことがある。このような場合、しきい値電圧の異なる第２のトランジスタが出現し、トラ
ンジスタの見かけ上のしきい値電圧が変動することがある。しかしながら、酸化物積層に
おいては半導体層１０２を構成する金属元素を一種以上含んで第１の酸化物層１５１を有
しているため、第１の酸化物層１５１と半導体層１０２の界面に界面準位を形成しにくく
なる。よって第１の酸化物層１５１を設けることにより、トランジスタのしきい値電圧な
どの電気特性のばらつきを低減することができる。
【０２１３】
また、ゲート絶縁層１０４と半導体層１０２との界面にチャネルが形成される場合、該
界面で界面散乱が起こり、トランジスタの電界効果移動度が低下する。しかしながら、酸
化物積層においては、半導体層１０２を構成する金属元素を一種以上含んで第２の酸化物
層１５２を有しているため、半導体層１０２と第２の酸化物層１５２との界面ではキャリ
アの散乱が起こりにくく、トランジスタの電界効果移動度を高くすることができる。
【０２１４】
［構成例２］
図１２（Ａ）、（Ｂ）に、以下で例示するトランジスタ１６０の断面概略図を示す。な
お、上面概略図については、図１（Ａ）を援用できる。図１２に示すトランジスタ１６０
は、主に第２の酸化物層１５２の形状が異なる点で、上記トランジスタ１５０と相違して
いる。
【０２１５】
トランジスタ１６０において、第２の酸化物層１５２は、その下面が一対の電極１０３
のそれぞれの上面に接して設けられている。さらに、一対の電極１０３が設けられていな
い領域において、半導体層１０２の上面および側面に接して設けられている。
【０２１６】
図１２に示す構成では、第２の酸化物層１５２およびゲート絶縁層１０４の上面形状が
、ゲート電極１０５の上面形状と概略一致するように、同一のフォトマスクを用いて加工
されている。また、第２の保護絶縁層１１２が、第２の酸化物層１５２およびゲート絶縁
層１０４のそれぞれの端部に接して設けられている。このような構成とすることにより、
第２の酸化物層１５２およびゲート絶縁層１０４の端部を介して、半導体層１０２から酸
素が脱離することを抑制することができる。
【０２１７】
また、図１２（Ｂ）に示すように、トランジスタ１６０の半導体層１０２は、その上面
だけでなく、側面も第２の酸化物層１５２と接して設けられている。すなわち、半導体層
１０２のチャネル形成領域が第１の酸化物層１５１と第２の酸化物層１５２とで囲われた
構成となっている。
【０２１８】
このような構成とすることで、半導体層１０２の側面に接して設けられる第２の酸化物
層１５２により、半導体層１０２の側面においても界面準位の形成を抑制することができ
る。その結果、半導体層１０２の側面近傍に形成されるチャネルを積極的に用いる場合で
あってもトランジスタの電気特性の変動を抑制することができ、高いオン電流と、高い信
頼性を兼ね備えたトランジスタを実現することができる。
【０２１９】
また、図１２（Ｂ）に示すように、酸化物層１５１の下面よりも、酸化物層１５１の周
囲における第１の保護絶縁層１１１の上面を低くし、ゲート電極１０５が半導体層１０２
の側面の下部を囲う構成とすることが好ましい。その結果、半導体層１０２の側面の下部
にまでゲート電極１０５による電界が十分にかかり、トランジスタ１６０のオン電流を増
大させることができる。同様に、図２８に示すように、酸化物層１５１の下面よりもゲー
ト電極１０５の下面を低くすると、よりトランジスタ１６０のオン電流を増大させること
ができるため好ましい。
【０２２０】
また、実施の形態１で例示した、加熱により酸素を放出する絶縁層１０６を適用するこ
ともできる。
【０２２１】
図１３（Ａ）、（Ｂ）に、上記トランジスタ１６０とは異なる構成のトランジスタ１７
０の断面概略図を示す。
【０２２２】
トランジスタ１７０は主に、第１の酸化物層１５１と第１の保護絶縁層１１１との間に
絶縁層１０６を有している点で、トランジスタ１６０と相違している。
【０２２３】
図１３（Ａ）、（Ｂ）に示すように、半導体層１０２、第１の酸化物層１５１、および
絶縁層１０６を島状に加工し、これらを覆うように第２の酸化物層１５２を設け、さらに
下側に第１の保護絶縁層１１１を設けることにより、絶縁層１０６が放出する酸素をより
効果的に、第１の酸化物層１５１を介して半導体層１０２に供給することができる。
【０２２４】
また、図１３（Ｂ）に示すように、絶縁層１０６の下面よりも、絶縁層１０６の周囲に
おける第１の保護絶縁層１１１の上面を低くし、ゲート電極１０５が半導体層１０２の側
面の下部を囲う構成とすることが好ましい。その結果、半導体層１０２の側面の下部にま
でゲート電極１０５による電界が十分にかかり、トランジスタ１７０のオン電流を増大さ
せることができる。同様に、図２９（Ａ）（Ｂ）に示すように、酸化物層１５１の下面よ
りもゲート電極１０５の下面を低くすると、よりトランジスタ１７０のオン電流を増大さ
せることができるため好ましい。
【０２２５】
また、図１３（Ｃ）、（Ｄ）に、トランジスタ１７０とは一部の構成が異なるトランジ
スタ１８０の断面概略図を示している。トランジスタ１８０は、島状に加工されていない
絶縁層１０６、第１の酸化物層１５１、および第２の酸化物層１５２を有している。第１
の酸化物層１５１および第２の酸化物層１５２として、バンドギャップの十分大きな材料
を用いることで、このような構成を実現できる。
【０２２６】
なお、トランジスタ１８０の構成とする場合、図示しない領域において、絶縁層１０６
、第１の酸化物層１５１、および第２の酸化物層１５２がエッチングされ、第１の保護絶
縁層１１１と第２の保護絶縁層１１２とが接触する領域を設けることが好ましい。例えば
、第１の保護絶縁層１１１と第２の保護絶縁層１１２とに囲まれる領域に複数のトランジ
スタを設ける構成としてもよい。
【０２２７】
また、図１３（Ｄ）に示すように、半導体層１０２の下面よりも、半導体層１０２の周
囲における第１の保護絶縁層１１１の上面を低くし、ゲート電極１０５が半導体層１０２
の側面の下部を囲う構成とすることが好ましい。その結果、半導体層１０２の側面の下部
にまでゲート電極１０５による電界が十分にかかり、トランジスタ１８０のオン電流を増
大させることができる。同様に、図２９（Ｃ）（Ｄ）に示すように、半導体層１０２の下
面よりもゲート電極１０５の下面を低くすると、よりトランジスタ１８０のオン電流を増
大させることができるため好ましい。
【０２２８】
［構成例３］
図１４（Ａ）、（Ｂ）に、以下で例示するトランジスタ２５０の断面概略図を示す。な
お、上面概略図については、図１（Ａ）を援用できる。図１４に示すトランジスタ２５０
は、主に第１の酸化物層２５１および第２の酸化物層２５２を有している点で、実施の形
態１で例示したトランジスタ２００と相違している。
【０２２９】
第１の酸化物層２５１は、第１の保護絶縁層２１１と半導体層２０２の間に設けられて
いる。また、第２の酸化物層２５２は、半導体層２０２とゲート絶縁層２０４との間に設
けられている。
【０２３０】
より具体的には、絶縁層２０７に設けられた溝部において、第１の酸化物層２５１は第
１の保護絶縁層２１１の側面および上面を覆って設けられている。また第１の酸化物層２
５１は、半導体層２０２の下面および側面に接して設けられている。
【０２３１】
また、第２の酸化物層２５２は、その下面が一対の電極２０３のそれぞれの上面に接し
て設けられている。さらに、一対の電極２０３が設けられていない領域において、半導体
層２０２に上面に接して設けられている。
【０２３２】
第１の酸化物層２５１および第２の酸化物層２５２は、それぞれ半導体層２０２と同一
の金属元素を一種以上含む酸化物を含む。
【０２３３】
なお、半導体層２０２と第１の酸化物層２５１の境界、または半導体層２０２と第２の
酸化物層２５２との境界は不明瞭である場合がある。
【０２３４】
第１の酸化物層２５１および第２の酸化物層２５２としては、例えば上記第１の酸化物
層１５１および第２の酸化物層１５２と同様の材料を用いることができる。
【０２３５】
図１４に示す構成では、第２の酸化物層２５２およびゲート絶縁層２０４の上面形状が
、ゲート電極２０５の上面形状と概略一致するように、同一のフォトマスクを用いて加工
されている。また、第２の保護絶縁層２１２が、第２の酸化物層２５２およびゲート絶縁
層２０４のそれぞれの端部に接して設けられている。このような構成とすることにより、
第２の酸化物層２５２およびゲート絶縁層２０４の端部を介して、半導体層２０２から酸
素が脱離することを抑制することができる。
【０２３６】
また、図１４（Ｂ）に示すように、トランジスタ２５０の半導体層２０２は、その下面
だけでなく側面が第１の酸化物層２５１と接して設けられ、且つ、半導体層２０２の上面
が第２の酸化物層２５２と接して設けられている。すなわち、半導体層２０２のチャネル
形成領域が第１の酸化物層２５１と第２の酸化物層２５２とで囲われた構成となっている
。
【０２３７】
このような構成とすることで、半導体層２０２のチャネル形成領域において、その表面
の界面準位の形成が抑制することができる。したがって、トランジスタの電気特性の変動
を抑制することができ、信頼性の高いトランジスタを実現することができる。
【０２３８】
ここで、半導体層２０２の厚さは、少なくとも第１の酸化物層２５１よりも厚く形成す
ることが好ましい。半導体層２０２が厚いほど、トランジスタのオン電流を高めることが
できる。また、第１の酸化物層２５１は半導体層２０２の界面準位の生成を抑制する効果
が失われない程度の厚さであればよい。例えば、半導体層２０２の厚さは、第１の酸化物
層２５１の厚さに対して１倍よりも大きく、好ましくは２倍以上、より好ましくは４倍以
上、より好ましくは６倍以上とすればよい。
【０２３９】
また、絶縁層２０７に設けられる溝部の深さは、第１の保護絶縁層２１１、第１の酸化
物層２５１および半導体層２０２のそれぞれの加工後の厚さを考慮して適宜設定すればよ
い。また溝部の幅は、トランジスタ２５０のチャネル長およびチャネル幅に応じて、適宜
設定すればよい。
【０２４０】
また、第２の酸化物層２５２も第１の酸化物層２５１と同様に、半導体層２０２の界面
準位の生成を抑制する効果が失われない程度の厚さであればよい。例えば、第１の酸化物
層２５１と同等またはそれ以下の厚さとすればよい。第２の酸化物層２５２が厚いと、ゲ
ート電極２０５による電界が半導体層２０２に届きにくくなる恐れがあるため、第２の酸
化物層２５２は薄く形成することが好ましい。なおこれに限られず、第２の酸化物層２５
２の厚さはゲート絶縁層２０４の耐圧を考慮して、トランジスタ２５０を駆動させる電圧
に応じて適宜設定すればよい。
【０２４１】
また、実施の形態１の変形例１で例示した、加熱により酸素を放出する絶縁層２０６を
適用することもできる。
【０２４２】
図１４（Ｃ）、（Ｄ）に、上記トランジスタ２５０とは異なる構成のトランジスタ２７
０の断面概略図を示す。
【０２４３】
トランジスタ２７０は、主に、第１の酸化物層２５１と第１の保護絶縁層２１１との間
に絶縁層２０６を有する点、および半導体層２０２が溝部を覆って設けられている点で、
トランジスタ２５０とは相違している。
【０２４４】
このように、溝部を埋めるように第１の酸化物層２５１を設けることにより、チャネル
形成領域において、半導体層２０２と絶縁層２０６との物理的な距離を大きくとることが
できる。したがって、チャネル形成領域において、半導体層２０２の界面に形成される界
面準位をより低減できる。
【０２４５】
図１５には、上記トランジスタ２５０および２７０とは異なる構成のトランジスタ２８
０を直列に接続した場合について示している。トランジスタ２８０は主に、第１の酸化物
層２５１が溝部を覆って設けられている点で、トランジスタ２７０と相違している。
【０２４６】
このように、溝部に絶縁層２０６を埋め込み、その上層に第１の酸化物層２５１および
半導体層２０２を設ける構成とすることで、絶縁層２０６の体積を容易に増やすことがで
き、その結果、半導体層２０２に供給される酸素の量を増大させることができる。さらに
、このような構成とすることで、絶縁層２０６の上面に段差が形成されないため、その上
層に設けられる第１の酸化物層２５１や半導体層２０２などの被覆性を低下させることな
く、絶縁層２０６の厚さを厚く形成することができる。
【０２４７】
本実施の形態は、少なくともその一部を本明細書中に記載する他の実施の形態と適宜組
み合わせて実施することができる。
【０２４８】
（実施の形態３）
本実施の形態では、本発明の一態様の半導体装置に好適に用いることのできる酸化物半
導体について説明する。
【０２４９】
酸化物半導体は、エネルギーギャップが３．０ｅＶ以上と大きく、酸化物半導体を適切
な条件で加工し、そのキャリア密度を十分に低減して得られた酸化物半導体膜が適用され
たトランジスタにおいては、オフ状態でのソースとドレイン間のリーク電流（オフ電流）
を、従来のシリコンを用いたトランジスタと比較して極めて低いものとすることができる
。
【０２５０】
適用可能な酸化物半導体としては、少なくともインジウム（Ｉｎ）あるいは亜鉛（Ｚｎ
）を含むことが好ましい。特にＩｎとＺｎを含むことが好ましい。また、該酸化物半導体
を用いたトランジスタの電気特性のばらつきを減らすためのスタビライザとして、それら
に加えてガリウム（Ｇａ）、スズ（Ｓｎ）、ハフニウム（Ｈｆ）、ジルコニウム（Ｚｒ）
、チタン（Ｔｉ）、スカンジウム（Ｓｃ）、イットリウム（Ｙ）、ランタノイド（例えば
、セリウム（Ｃｅ）、ネオジム（Ｎｄ）、ガドリニウム（Ｇｄ））から選ばれた一種、ま
たは複数種が含まれていることが好ましい。
【０２５１】
例えば、酸化物半導体として、酸化インジウム、酸化スズ、酸化亜鉛、Ｉｎ−Ｚｎ系酸
化物、Ｓｎ−Ｚｎ系酸化物、Ａｌ−Ｚｎ系酸化物、Ｚｎ−Ｍｇ系酸化物、Ｓｎ−Ｍｇ系酸
化物、Ｉｎ−Ｍｇ系酸化物、Ｉｎ−Ｇａ系酸化物、Ｉｎ−Ｇａ−Ｚｎ系酸化物（ＩＧＺＯ
とも表記する）、Ｉｎ−Ａｌ−Ｚｎ系酸化物、Ｉｎ−Ｓｎ−Ｚｎ系酸化物、Ｓｎ−Ｇａ−
Ｚｎ系酸化物、Ａｌ−Ｇａ−Ｚｎ系酸化物、Ｓｎ−Ａｌ−Ｚｎ系酸化物、Ｉｎ−Ｈｆ−Ｚ
ｎ系酸化物、Ｉｎ−Ｚｒ−Ｚｎ系酸化物、Ｉｎ−Ｔｉ−Ｚｎ系酸化物、Ｉｎ−Ｓｃ−Ｚｎ
系酸化物、Ｉｎ−Ｙ−Ｚｎ系酸化物、Ｉｎ−Ｌａ−Ｚｎ系酸化物、Ｉｎ−Ｃｅ−Ｚｎ系酸
化物、Ｉｎ−Ｐｒ−Ｚｎ系酸化物、Ｉｎ−Ｎｄ−Ｚｎ系酸化物、Ｉｎ−Ｓｍ−Ｚｎ系酸化
物、Ｉｎ−Ｅｕ−Ｚｎ系酸化物、Ｉｎ−Ｇｄ−Ｚｎ系酸化物、Ｉｎ−Ｔｂ−Ｚｎ系酸化物
、Ｉｎ−Ｄｙ−Ｚｎ系酸化物、Ｉｎ−Ｈｏ−Ｚｎ系酸化物、Ｉｎ−Ｅｒ−Ｚｎ系酸化物、
Ｉｎ−Ｔｍ−Ｚｎ系酸化物、Ｉｎ−Ｙｂ−Ｚｎ系酸化物、Ｉｎ−Ｌｕ−Ｚｎ系酸化物、Ｉ
ｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−
Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉ
ｎ−Ｈｆ−Ａｌ−Ｚｎ系酸化物を用いることができる。
【０２５２】
ここで、Ｉｎ−Ｇａ−Ｚｎ系酸化物とは、ＩｎとＧａとＺｎを主成分として有する酸化
物という意味であり、ＩｎとＧａとＺｎの比率は問わない。また、ＩｎとＧａとＺｎ以外
の金属元素が入っていてもよい。
【０２５３】
また、酸化物半導体として、ＩｎＭＯ３（ＺｎＯ）ｍ（ｍ＞０、且つ、ｍは整数でない
）で表記される材料を用いてもよい。なお、Ｍは、Ｇａ、Ｆｅ、Ｍｎ及びＣｏから選ばれ
た一の金属元素または複数の金属元素、若しくは上記のスタビライザとしての元素を示す
。また、酸化物半導体として、Ｉｎ２ＳｎＯ５（ＺｎＯ）ｎ（ｎ＞０、且つ、ｎは整数）
で表記される材料を用いてもよい。
【０２５４】
例えば、Ｉｎ：Ｇａ：Ｚｎ＝１：１：１、Ｉｎ：Ｇａ：Ｚｎ＝１：３：２、Ｉｎ：Ｇａ
：Ｚｎ＝１：３：４、Ｉｎ：Ｇａ：Ｚｎ＝１：３：６、Ｉｎ：Ｇａ：Ｚｎ＝３：１：２あ
るいはＩｎ：Ｇａ：Ｚｎ＝２：１：３の原子数比のＩｎ−Ｇａ−Ｚｎ系酸化物やその組成
の近傍の酸化物を用いるとよい。
【０２５５】
酸化物半導体膜に水素が多量に含まれると、酸化物半導体と結合することによって、水
素の一部がドナーとなり、キャリアである電子を生じてしまう。これにより、トランジス
タのしきい値電圧がマイナス方向にシフトしてしまう。そのため、酸化物半導体膜の形成
後において、脱水化処理（脱水素化処理）を行い酸化物半導体膜から、水素、又は水分を
除去して不純物が極力含まれないように高純度化することが好ましい。
【０２５６】
なお、酸化物半導体膜への脱水化処理（脱水素化処理）によって、酸化物半導体膜から
酸素も同時に減少してしまうことがある。よって、酸化物半導体膜への脱水化処理（脱水
素化処理）によって増加した酸素欠損を補填するため酸素を酸化物半導体膜に加える処理
を行うことが好ましい。本明細書等において、酸化物半導体膜に酸素を供給する場合を、
加酸素化処理と記す場合がある、または酸化物半導体膜に含まれる酸素を化学量論的組成
よりも多くする場合を過酸素化処理と記す場合がある。
【０２５７】
このように、酸化物半導体膜は、脱水化処理（脱水素化処理）により、水素または水分
が除去され、加酸素化処理により酸素欠損を補填することによって、ｉ型（真性）化また
はｉ型に限りなく近く実質的にｉ型（真性）である酸化物半導体膜とすることができる。
なお、実質的に真性とは、酸化物半導体膜中にドナーに由来するキャリアが極めて少なく
（ゼロに近く）、キャリア密度が１×１０１７／ｃｍ３以下、１×１０１６／ｃｍ３以下
、１×１０１５／ｃｍ３以下、１×１０１４／ｃｍ３以下、１×１０１３／ｃｍ３以下で
あることをいう。
【０２５８】
またこのように、ｉ型又は実質的にｉ型である酸化物半導体膜を備えるトランジスタは
、極めて優れたオフ電流特性を実現できる。例えば、酸化物半導体膜を用いたトランジス
タがオフ状態のときのドレイン電流を、室温（２５℃程度）にて１×１０−１８Ａ以下、
好ましくは１×１０−２１Ａ以下、さらに好ましくは１×１０−２４Ａ以下、または８５
℃にて１×１０−１５Ａ以下、好ましくは１×１０−１８Ａ以下、さらに好ましくは１×
１０−２１Ａ以下とすることができる。なお、トランジスタがオフ状態とは、ｎチャネル
型のトランジスタの場合、ゲート電圧がしきい値電圧よりも十分小さい状態をいう。具体
的には、ゲート電圧がしきい値電圧よりも１Ｖ以上、２Ｖ以上または３Ｖ以上小さければ
、トランジスタはオフ状態となる。
【０２５９】
以下では、酸化物半導体膜の構造について説明する。
【０２６０】
酸化物半導体膜は、非単結晶酸化物半導体膜と単結晶酸化物半導体膜とに大別される。
非単結晶酸化物半導体膜とは、ＣＡＡＣ−ＯＳ（Ｃ  Ａｘｉｓ  Ａｌｉｇｎｅｄ  Ｃｒｙ
ｓｔａｌｌｉｎｅ  Ｏｘｉｄｅ  Ｓｅｍｉｃｏｎｄｕｃｔｏｒ）膜、多結晶酸化物半導体
膜、微結晶酸化物半導体膜、非晶質酸化物半導体膜などをいう。
【０２６１】
まずは、ＣＡＡＣ−ＯＳ膜について説明する。
【０２６２】
なお、本明細書において、「平行」とは、二つの直線が−１０°以上１０°以下の角度
で配置されている状態をいう。従って、−５°以上５°以下の場合も含まれる。また、「
垂直」とは、二つの直線が８０°以上１００°以下の角度で配置されている状態をいう。
従って、８５°以上９５°以下の場合も含まれる。
【０２６３】
また、本明細書において、結晶が三方晶または菱面体晶である場合、六方晶系として表
す。
【０２６４】
ＣＡＡＣ−ＯＳ膜は、ｃ軸配向した複数の結晶部を有する酸化物半導体膜の一つである
。
【０２６５】
ＣＡＡＣ−ＯＳ膜を透過型電子顕微鏡（ＴＥＭ：Ｔｒａｎｓｍｉｓｓｉｏｎ  Ｅｌｅｃ
ｔｒｏｎ  Ｍｉｃｒｏｓｃｏｐｅ）によって観察すると、明確な結晶部同士の境界、即ち
結晶粒界（グレインバウンダリーともいう。）を確認することができない。そのため、Ｃ
ＡＡＣ−ＯＳ膜は、結晶粒界に起因する電子移動度の低下が起こりにくいといえる。
【０２６６】
ＣＡＡＣ−ＯＳ膜を、試料面と概略平行な方向からＴＥＭによって観察（断面ＴＥＭ観
察）すると、結晶部において、金属原子が層状に配列していることを確認できる。金属原
子の各層は、ＣＡＡＣ−ＯＳ膜の膜を形成する面（被形成面ともいう。）または上面の凹
凸を反映した形状であり、ＣＡＡＣ−ＯＳ膜の被形成面または上面と平行に配列する。
【０２６７】
一方、ＣＡＡＣ−ＯＳ膜を、試料面と概略垂直な方向からＴＥＭによって観察（平面Ｔ
ＥＭ観察）すると、結晶部において、金属原子が三角形状または六角形状に配列している
ことを確認できる。しかしながら、異なる結晶部間で、金属原子の配列に規則性は見られ
ない。
【０２６８】
図２３（ａ）は、ＣＡＡＣ−ＯＳ膜の断面ＴＥＭ像である。また、図２３（ｂ）は、図
２３（ａ）をさらに拡大した断面ＴＥＭ像であり、理解を容易にするために原子配列を強
調表示している。
【０２６９】
図２３（ｃ）は、図２３（ａ）のＡ−Ｏ−Ａ’間において、丸で囲んだ領域（直径約４
ｎｍ）の局所的なフーリエ変換像である。図２３（ｃ）より、各領域においてｃ軸配向性
が確認できる。また、Ａ−Ｏ間とＯ−Ａ’間とでは、ｃ軸の向きが異なるため、異なるグ
レインであることが示唆される。また、Ａ−Ｏ間では、ｃ軸の角度が１４．３°、１６．
６°、２６．４°のように少しずつ連続的に変化していることがわかる。同様に、Ｏ−Ａ
’間では、ｃ軸の角度が−１８．３°、−１７．６°、−１５．９°と少しずつ連続的に
変化していることがわかる。
【０２７０】
なお、ＣＡＡＣ−ＯＳ膜に対し、電子回折を行うと、配向性を示すスポット（輝点）が
観測される。例えば、ＣＡＡＣ−ＯＳ膜の上面に対し、例えば１ｎｍ以上３０ｎｍ以下の
電子線を用いる電子回折（ナノビーム電子回折ともいう。）を行うと、スポットが観測さ
れる（図２４（Ａ）参照。）。
【０２７１】
断面ＴＥＭ観察および平面ＴＥＭ観察より、ＣＡＡＣ−ＯＳ膜の結晶部は配向性を有し
ていることがわかる。
【０２７２】
なお、ＣＡＡＣ−ＯＳ膜に含まれるほとんどの結晶部は、一辺が１００ｎｍ未満の立方
体内に収まる大きさである。従って、ＣＡＡＣ−ＯＳ膜に含まれる結晶部は、一辺が１０
ｎｍ未満、５ｎｍ未満または３ｎｍ未満の立方体内に収まる大きさの場合も含まれる。た
だし、ＣＡＡＣ−ＯＳ膜に含まれる複数の結晶部が連結することで、一つの大きな結晶領
域を形成する場合がある。例えば、平面ＴＥＭ像において、２５００ｎｍ２以上、５μｍ
２以上または１０００μｍ２以上となる結晶領域が観察される場合がある。
【０２７３】
ＣＡＡＣ−ＯＳ膜に対し、Ｘ線回折（ＸＲＤ：Ｘ−Ｒａｙ  Ｄｉｆｆｒａｃｔｉｏｎ）
装置を用いて構造解析を行うと、例えばＩｎＧａＺｎＯ４の結晶を有するＣＡＡＣ−ＯＳ
膜のｏｕｔ−ｏｆ−ｐｌａｎｅ法による解析では、回折角（２θ）が３１°近傍にピーク
が現れる場合がある。このピークは、ＩｎＧａＺｎＯ４の結晶の（００９）面に帰属され
ることから、ＣＡＡＣ−ＯＳ膜の結晶がｃ軸配向性を有し、ｃ軸が被形成面または上面に
概略垂直な方向を向いていることが確認できる。
【０２７４】
一方、ＣＡＡＣ−ＯＳ膜に対し、ｃ軸に概略垂直な方向からＸ線を入射させるｉｎ−ｐ
ｌａｎｅ法による解析では、２θが５６°近傍にピークが現れる場合がある。このピーク
は、ＩｎＧａＺｎＯ４の結晶の（１１０）面に帰属される。ＩｎＧａＺｎＯ４の単結晶酸
化物半導体膜であれば、２θを５６°近傍に固定し、試料面の法線ベクトルを軸（φ軸）
として試料を回転させながら分析（φスキャン）を行うと、（１１０）面と等価な結晶面
に帰属されるピークが６本観察される。これに対し、ＣＡＡＣ−ＯＳ膜の場合は、２θを
５６°近傍に固定してφスキャンした場合でも、明瞭なピークが現れない。
【０２７５】
以上のことから、ＣＡＡＣ−ＯＳ膜では、異なる結晶部間ではａ軸およびｂ軸の配向は
不規則であるが、ｃ軸配向性を有し、かつｃ軸が被形成面または上面の法線ベクトルに平
行な方向を向いていることがわかる。従って、前述の断面ＴＥＭ観察で確認された層状に
配列した金属原子の各層は、結晶のａｂ面に平行な面である。
【０２７６】
なお、結晶部は、ＣＡＡＣ−ＯＳ膜を成膜した際、または加熱処理などの結晶化処理を
行った際に形成される。上述したように、結晶のｃ軸は、ＣＡＡＣ−ＯＳ膜の被形成面ま
たは上面の法線ベクトルに平行な方向に配向する。従って、例えば、ＣＡＡＣ−ＯＳ膜の
形状をエッチングなどによって変化させた場合、結晶のｃ軸がＣＡＡＣ−ＯＳ膜の被形成
面または上面の法線ベクトルと平行にならないこともある。
【０２７７】
また、ＣＡＡＣ−ＯＳ膜中において、ｃ軸配向した結晶部の分布が均一でなくてもよい
。例えば、ＣＡＡＣ−ＯＳ膜の結晶部が、ＣＡＡＣ−ＯＳ膜の上面近傍からの結晶成長に
よって形成される場合、上面近傍の領域は、被形成面近傍の領域よりもｃ軸配向した結晶
部の割合が高くなることがある。また、不純物が添加されたＣＡＡＣ−ＯＳ膜は、不純物
が添加された領域が変質し、部分的にｃ軸配向した結晶部の割合の異なる領域が形成され
ることもある。
【０２７８】
なお、ＩｎＧａＺｎＯ４の結晶を有するＣＡＡＣ−ＯＳ膜のｏｕｔ−ｏｆ−ｐｌａｎｅ
法による解析では、２θが３１°近傍のピークの他に、２θが３６°近傍にもピークが現
れる場合がある。２θが３６°近傍のピークは、ＣＡＡＣ−ＯＳ膜中の一部に、ｃ軸配向
性を有さない結晶が含まれることを示している。ＣＡＡＣ−ＯＳ膜は、２θが３１°近傍
にピークを示し、２θが３６°近傍にピークを示さないことが好ましい。
【０２７９】
ＣＡＡＣ−ＯＳ膜は、不純物濃度の低い酸化物半導体膜である。不純物は、水素、炭素
、シリコン、遷移金属元素などの酸化物半導体膜の主成分以外の元素である。特に、シリ
コンなどの、酸化物半導体膜を構成する金属元素よりも酸素との結合力の強い元素は、酸
化物半導体膜から酸素を奪うことで酸化物半導体膜の原子配列を乱し、結晶性を低下させ
る要因となる。また、鉄やニッケルなどの重金属、アルゴン、二酸化炭素などは、原子半
径（または分子半径）が大きいため、酸化物半導体膜内部に含まれると、酸化物半導体膜
の原子配列を乱し、結晶性を低下させる要因となる。なお、酸化物半導体膜に含まれる不
純物は、キャリアトラップやキャリア発生源となる場合がある。
【０２８０】
また、ＣＡＡＣ−ＯＳ膜は、欠陥準位密度の低い酸化物半導体膜である。例えば、酸化
物半導体膜中の酸素欠損は、キャリアトラップとなることや、水素を捕獲することによっ
てキャリア発生源となることがある。
【０２８１】
不純物濃度が低く、欠陥準位密度が低い（酸素欠損の少ない）ことを、高純度真性また
は実質的に高純度真性と呼ぶ。高純度真性または実質的に高純度真性である酸化物半導体
膜は、キャリア発生源が少ないため、キャリア密度を低くすることができる。従って、当
該酸化物半導体膜を用いたトランジスタは、しきい値電圧がマイナスとなる電気特性（ノ
ーマリーオンともいう。）になることが少ない。また、高純度真性または実質的に高純度
真性である酸化物半導体膜は、キャリアトラップが少ない。そのため、当該酸化物半導体
膜を用いたトランジスタは、電気特性の変動が小さく、信頼性の高いトランジスタとなる
。なお、酸化物半導体膜のキャリアトラップに捕獲された電荷は、放出するまでに要する
時間が長く、あたかも固定電荷のように振る舞うことがある。そのため、不純物濃度が高
く、欠陥準位密度が高い酸化物半導体膜を用いたトランジスタは、電気特性が不安定とな
る場合がある。
【０２８２】
また、ＣＡＡＣ−ＯＳ膜を用いたトランジスタは、可視光や紫外光の照射による電気特
性の変動が小さい。
【０２８３】
次に、微結晶酸化物半導体膜について説明する。
【０２８４】
微結晶酸化物半導体膜は、ＴＥＭによる観察像では、明確に結晶部を確認することがで
きない場合がある。微結晶酸化物半導体膜に含まれる結晶部は、１ｎｍ以上１００ｎｍ以
下、または１ｎｍ以上１０ｎｍ以下の大きさであることが多い。特に、１ｎｍ以上１０ｎ
ｍ以下、または１ｎｍ以上３ｎｍ以下の微結晶であるナノ結晶（ｎｃ：ｎａｎｏｃｒｙｓ
ｔａｌ）を有する酸化物半導体膜を、ｎｃ−ＯＳ（ｎａｎｏｃｒｙｓｔａｌｌｉｎｅ  Ｏ
ｘｉｄｅ  Ｓｅｍｉｃｏｎｄｕｃｔｏｒ）膜と呼ぶ。また、ｎｃ−ＯＳ膜は、例えば、Ｔ
ＥＭによる観察像では、結晶粒界を明確に確認できない場合がある。
【０２８５】
ｎｃ−ＯＳ膜は、微小な領域（例えば、１ｎｍ以上１０ｎｍ以下の領域、特に１ｎｍ以
上３ｎｍ以下の領域）において原子配列に周期性を有する。また、ｎｃ−ＯＳ膜は、異な
る結晶部間で結晶方位に規則性が見られない。そのため、膜全体で配向性が見られない。
従って、ｎｃ−ＯＳ膜は、分析方法によっては、非晶質酸化物半導体膜と区別が付かない
場合がある。例えば、ｎｃ−ＯＳ膜に対し、結晶部よりも大きい径のＸ線を用いるＸＲＤ
装置を用いて構造解析を行うと、ｏｕｔ−ｏｆ−ｐｌａｎｅ法による解析では、結晶面を
示すピークが検出されない。また、ｎｃ−ＯＳ膜に対し、結晶部よりも大きいプローブ径
（例えば５０ｎｍ以上）の電子線を用いる電子回折（制限視野電子回折ともいう。）を行
うと、ハローパターンのような回折パターンが観測される。一方、ｎｃ−ＯＳ膜に対し、
結晶部の大きさと近いか結晶部より小さいプローブ径の電子線を用いるナノビーム電子回
折を行うと、スポットが観測される。また、ｎｃ−ＯＳ膜に対しナノビーム電子回折を行
うと、円を描くように（リング状に）輝度の高い領域が観測される場合がある。また、ｎ
ｃ−ＯＳ膜に対しナノビーム電子回折を行うと、リング状の領域内に複数のスポットが観
測される場合がある。
【０２８６】
ｎｃ−ＯＳ膜は、非晶質酸化物半導体膜よりも規則性の高い酸化物半導体膜である。そ
のため、ｎｃ−ＯＳ膜は、非晶質酸化物半導体膜よりも欠陥準位密度が低くなる。ただし
、ｎｃ−ＯＳ膜は、異なる結晶部間で結晶方位に規則性が見られない。そのため、ｎｃ−
ＯＳ膜は、ＣＡＡＣ−ＯＳ膜と比べて欠陥準位密度が高くなる。
【０２８７】
なお、酸化物半導体膜は、例えば、非晶質酸化物半導体膜、微結晶酸化物半導体膜、Ｃ
ＡＡＣ−ＯＳ膜のうち、二種以上を有する積層膜であってもよい。
【０２８８】
酸化物半導体膜が複数の構造を有する場合、ナノビーム電子回折を用いることで構造解
析が可能となる場合がある。
【０２８９】
図２４（Ｃ）に、電子銃室１０と、電子銃室１０の下の光学系１２と、光学系１２の下
の試料室１４と、試料室１４の下の光学系１６と、光学系１６の下の観察室２０と、観察
室２０に設置されたカメラ１８と、観察室２０の下のフィルム室２２と、を有する透過電
子回折測定装置を示す。カメラ１８は、観察室２０内部に向けて設置される。なお、フィ
ルム室２２を有さなくても構わない。
【０２９０】
また、図２４（Ｄ）に、図２４（Ｃ）で示した透過電子回折測定装置内部の構造を示す
。透過電子回折測定装置内部では、電子銃室１０に設置された電子銃から放出された電子
が、光学系１２を介して試料室１４に配置された物質２８に照射される。物質２８を通過
した電子は、光学系１６を介して観察室２０内部に設置された蛍光板３２に入射する。蛍
光板３２では、入射した電子の強度に応じたパターンが現れることで透過電子回折パター
ンを測定することができる。
【０２９１】
カメラ１８は、蛍光板３２を向いて設置されており、蛍光板３２に現れたパターンを撮
影することが可能である。カメラ１８のレンズの中央、および蛍光板３２の中央を通る直
線と、蛍光板３２の上面と、の為す角度は、例えば、１５°以上８０°以下、３０°以上
７５°以下、または４５°以上７０°以下とする。該角度が小さいほど、カメラ１８で撮
影される透過電子回折パターンは歪みが大きくなる。ただし、あらかじめ該角度がわかっ
ていれば、得られた透過電子回折パターンの歪みを補正することも可能である。なお、カ
メラ１８をフィルム室２２に設置しても構わない場合がある。例えば、カメラ１８をフィ
ルム室２２に、電子２４の入射方向と対向するように設置してもよい。この場合、蛍光板
３２の裏面から歪みの少ない透過電子回折パターンを撮影することができる。
【０２９２】
試料室１４には、試料である物質２８を固定するためのホルダが設置されている。ホル
ダは、物質２８を通過する電子を透過するような構造をしている。ホルダは、例えば、物
質２８をＸ軸、Ｙ軸、Ｚ軸などに移動させる機能を有していてもよい。ホルダの移動機能
は、例えば、１ｎｍ以上１０ｎｍ以下、５ｎｍ以上５０ｎｍ以下、１０ｎｍ以上１００ｎ
ｍ以下、５０ｎｍ以上５００ｎｍ以下、１００ｎｍ以上１μｍ以下などの範囲で移動させ
る精度を有すればよい。これらの範囲は、物質２８の構造によって最適な範囲を設定すれ
ばよい。
【０２９３】
次に、上述した透過電子回折測定装置を用いて、物質の透過電子回折パターンを測定する
方法について説明する。
【０２９４】
例えば、図２４（Ｄ）に示すように物質におけるナノビームである電子２４の照射位置
を変化させる（スキャンする）ことで、物質の構造が変化していく様子を確認することが
できる。このとき、物質２８がＣＡＡＣ−ＯＳ膜であれば、図２４（Ａ）に示したような
回折パターンが観測される。または、物質２８がｎｃ−ＯＳ膜であれば、図２４（Ｂ）に
示したような回折パターンが観測される。
【０２９５】
ところで、物質２８がＣＡＡＣ−ＯＳ膜であったとしても、部分的にｎｃ−ＯＳ膜など
と同様の回折パターンが観測される場合がある。したがって、ＣＡＡＣ−ＯＳ膜の良否は
、一定の範囲におけるＣＡＡＣ−ＯＳ膜の回折パターンが観測される領域の割合（ＣＡＡ
Ｃ化率ともいう。）で表すことができる場合がある。例えば、良質なＣＡＡＣ−ＯＳ膜で
あれば、ＣＡＡＣ化率は、５０％以上、好ましくは８０％以上、さらに好ましくは９０％
以上、より好ましくは９５％以上となる。なお、ＣＡＡＣ−ＯＳ膜と異なる回折パターン
が観測される領域を非ＣＡＡＣ化率と表記する。
【０２９６】
一例として、成膜直後（ａｓ−ｓｐｕｔｔｅｒｅｄと表記。）、または酸素を含む雰囲
気における４５０℃加熱処理後のＣＡＡＣ−ＯＳ膜を有する各試料の上面に対し、スキャ
ンしながら透過電子回折パターンを取得した。ここでは、５ｎｍ／秒の速度で６０秒間ス
キャンしながら回折パターンを観測し、観測された回折パターンを０．５秒ごとに静止画
に変換することで、ＣＡＡＣ化率を導出した。なお、電子線としては、プローブ径が１ｎ
ｍのナノビームを用いた。なお、同様の測定は６試料に対して行った。そしてＣＡＡＣ化
率の算出には、６試料における平均値を用いた。
【０２９７】
各試料におけるＣＡＡＣ化率を図２５（Ａ）に示す。成膜直後のＣＡＡＣ−ＯＳ膜のＣ
ＡＡＣ化率は７５．７％（非ＣＡＡＣ化率は２４．３％）であった。また、４５０℃加熱
処理後のＣＡＡＣ−ＯＳ膜のＣＡＡＣ化率は８５．３％（非ＣＡＡＣ化率は１４．７％）
であった。成膜直後と比べて、４５０℃加熱処理後のＣＡＡＣ化率が高いことがわかる。
即ち、高い温度（例えば４００℃以上）における加熱処理によって、非ＣＡＡＣ化率が低
くなる（ＣＡＡＣ化率が高くなる）ことがわかる。また、５００℃未満の加熱処理におい
ても高いＣＡＡＣ化率を有するＣＡＡＣ−ＯＳ膜が得られることがわかる。
【０２９８】
ここで、ＣＡＡＣ−ＯＳ膜と異なる回折パターンのほとんどはｎｃ−ＯＳ膜と同様の回
折パターンであった。また、測定領域において非晶質酸化物半導体膜は、確認することが
できなかった。したがって、加熱処理によって、ｎｃ−ＯＳ膜と同様の構造を有する領域
が、隣接する領域の構造の影響を受けて再配列し、ＣＡＡＣ化していることが示唆される
。
【０２９９】
図２５（Ｂ）および図２５（Ｃ）は、成膜直後および４５０℃加熱処理後のＣＡＡＣ−
ＯＳ膜の平面ＴＥＭ像である。図２５（Ｂ）と図２５（Ｃ）とを比較することにより、４
５０℃加熱処理後のＣＡＡＣ−ＯＳ膜は、膜質がより均質であることがわかる。即ち、高
い温度における加熱処理によって、ＣＡＡＣ−ＯＳ膜の膜質が向上することがわかる。
【０３００】
このような測定方法を用いれば、複数の構造を有する酸化物半導体膜の構造解析が可能
となる場合がある。
【０３０１】
（実施の形態４）
本実施の形態では、本発明の一態様のトランジスタを利用した回路の一例について、図
面を参照して説明する。
【０３０２】
図１６（Ａ）に半導体装置の回路図を、図１６（Ｃ）、（Ｄ）に半導体装置の断面図を
それぞれ示す。図１６（Ｃ）、（Ｄ）はそれぞれ、左側にトランジスタ１００のチャネル
長方向の断面図を示し、右側にチャネル幅方向の断面図を示している。また回路図には、
酸化物半導体が適用されたトランジスタであることを明示するために、「ＯＳ」の記載を
付している。
【０３０３】
図１６（Ｃ）、（Ｄ）に示す半導体装置は、下部に第１の半導体材料を用いたトランジ
スタ２２００を有し、上部に第２の半導体材料を用いたトランジスタを有する。ここでは
、第２の半導体材料を用いたトランジスタとして、実施の形態１で例示したトランジスタ
１００を適用した例について説明する。
【０３０４】
なお、図１７（Ａ）、（Ｂ）には第２の半導体材料を用いたトランジスタとして、実施
の形態１で例示したトランジスタ２００を適用した場合の断面構成例を示す。
【０３０５】
ここで、第１の半導体材料と第２の半導体材料は異なる禁制帯幅を持つ材料とすること
が望ましい。例えば、第１の半導体材料を酸化物半導体以外の半導体材料（シリコン、ゲ
ルマニウム、シリコンゲルマニウム、炭化シリコン、またはガリウムヒ素等など）とし、
第２の半導体材料を実施の形態１で説明した酸化物半導体とすることができる。酸化物半
導体以外の材料として単結晶シリコンなどを用いたトランジスタは、高速動作が容易であ
る。一方で、酸化物半導体を用いたトランジスタは、オフ電流が低い。
【０３０６】
ここでは、トランジスタ２２００がｐチャネル型のトランジスタであるものとして説明
するが、ｎチャネル型のトランジスタを用いて異なる回路を構成できることは言うまでも
ない。また、酸化物半導体を用いた実施の形態１に示すようなトランジスタを用いる他は
、半導体装置に用いられる材料や半導体装置の構造など、半導体装置の具体的な構成をこ
こで示すものに限定する必要はない。
【０３０７】
図１６（Ａ）、（Ｃ）、（Ｄ）に示す構成は、ｐチャネル型のトランジスタとｎチャネ
ル型のトランジスタを直列に接続し、且つ、それぞれのゲートを接続した、いわゆるＣＭ
ＯＳ回路の構成例について示している。
【０３０８】
本発明の一態様の酸化物半導体が適用されたトランジスタは、オン電流が高められてい
るため、回路の高速動作が可能となる。
【０３０９】
図１６（Ｃ）に示す構成では、トランジスタ２２００の上部に、絶縁層２２０１を介し
てトランジスタ１００が設けられている。また、トランジスタ２２００とトランジスタ１
００の間には複数の配線２２０２が設けられている。また各種絶縁層に埋め込まれた複数
のプラグ２２０３により、上層と下層にそれぞれ設けられた配線や電極が電気的に接続さ
れている。また、トランジスタ１００を覆う絶縁層２２０４と、絶縁層２２０４上に配線
２２０５と、トランジスタの一対の電極と同一の導電膜を加工して形成された配線２２０
６と、が設けられている。
【０３１０】
このように、２つのトランジスタを積層することにより、回路の占有面積が低減され、
より高密度に複数の回路を配置することができる。
【０３１１】
図１６（Ｃ）では、トランジスタ１００のソースまたはドレインの一方と、トランジス
タ２２００のソースまたはドレインの一方が配線２２０２やプラグ２２０３によって電気
的に接続されている。また、トランジスタ１００のゲートは、配線２２０５、配線２２０
６、プラグ２２０３および配線２２０２などを経由して、トランジスタ２２００のゲート
と電気的に接続されている。
【０３１２】
図１６（Ｄ）に示す構成では、トランジスタ１００のゲート絶縁層にプラグ２２０３を
埋め込むための開口部が設けられ、トランジスタ１００のゲートとプラグ２２０３とが接
する構成となっている。このような構成とすることで回路の集積化が容易であるのに加え
、図１６（Ｃ）に示す構成と比較して経由する配線やプラグの数や長さを低減できるため
、回路をより高速に動作させることができる。
【０３１３】
ここで、図１６（Ｃ）、（Ｄ）に示す構成において、トランジスタ１００やトランジス
タ２２００の電極の接続構成を異ならせることにより、様々な回路を構成することができ
る。例えば図１６（Ｂ）に示すように、それぞれのトランジスタのソースとドレインを接
続した回路構成とすることにより、いわゆるアナログスイッチとして機能させることがで
きる。
【０３１４】
また、実施の形態１又は２のいずれかで一例を示したトランジスタを用いて、対象物の
情報を読み取るイメージセンサ機能を有する半導体装置を作製することができる。
【０３１５】
図１８に、イメージセンサ機能を有する半導体装置の等価回路の一例を示す。
【０３１６】
フォトダイオード６０２は、一方の電極がフォトダイオードリセット信号線６５８に、
他方の電極がトランジスタ６４０のゲートに電気的に接続されている。トランジスタ６４
０は、ソース又はドレインの一方がフォトセンサ基準信号線６７２に、ソース又はドレイ
ンの他方がトランジスタ６５６のソース又はドレインの一方に電気的に接続されている。
トランジスタ６５６は、ゲートがゲート信号線６５９に、ソース又はドレインの他方がフ
ォトセンサ出力信号線６７１に電気的に接続されている。
【０３１７】
フォトダイオード６０２には、例えば、ｐ型の導電型を有する半導体層と、高抵抗な（
ｉ型の導電型を有する）半導体層と、ｎ型の導電型を有する半導体層を積層するｐｉｎ型
のフォトダイオードを適用することができる。
【０３１８】
フォトダイオード６０２に入射する光を検出することによって、被検出物の情報を読み
取ることができる。なお、被検出物の情報を読み取る際に、バックライトなどの光源を用
いることができる。
【０３１９】
なお、トランジスタ６４０及びトランジスタ６５６には、実施の形態１又は２のいずれ
かで一例を示した、酸化物半導体にチャネルが形成されるトランジスタを用いることがで
きる。図１８では、トランジスタ６４０及びトランジスタ６５６が、酸化物半導体を含む
ことを明確に判明できるよう、トランジスタの記号に「ＯＳ」と付記している。
【０３２０】
トランジスタ６４０及びトランジスタ６５６は、上記実施の形態で一例を示したトラン
ジスタであり、チャネルが形成される酸化物半導体層を、過剰酸素を含有する酸化アルミ
ニウム膜を含む絶縁層で包み込む構成を有する。また、酸化物半導体層をゲート電極によ
って電気的に囲い込む構成を有することが好ましい。よって、トランジスタ６４０及びト
ランジスタ６５６は、電気特性変動が抑制された電気的に安定なトランジスタである。該
トランジスタを含むことで、図１８で示すイメージセンサ機能を有する半導体装置として
信頼性の高い半導体装置を提供することができる。
【０３２１】
本実施の形態は、本明細書中に記載する他の実施の形態と適宜組み合わせて実施するこ
とができる。
【０３２２】
（実施の形態５）
本実施の形態では、本発明の一態様であるトランジスタを使用し、電力が供給されない
状況でも記憶内容の保持が可能で、かつ、書き込み回数にも制限が無い半導体装置（記憶
装置）の一例を、図面を用いて説明する。
【０３２３】
図１９に半導体装置の回路図を示す。
【０３２４】
図１９に示す半導体装置は、第１の半導体材料を用いたトランジスタ３２００と第２の
半導体材料を用いたトランジスタ３３００、および容量素子３４００を有している。なお
、トランジスタ３３００としては、上記実施の形態で説明したトランジスタを用いること
ができる。
【０３２５】
トランジスタ３３００は、酸化物半導体を有する半導体層にチャネルが形成されるトラ
ンジスタである。トランジスタ３３００は、オフ電流が小さいため、これを用いることに
より長期にわたり記憶内容を保持することが可能である。つまり、リフレッシュ動作を必
要としない、或いは、リフレッシュ動作の頻度が極めて少ない半導体記憶装置とすること
が可能となるため、消費電力を十分に低減することができる。
【０３２６】
図１９において、第１の配線３００１はトランジスタ３２００のソース電極と電気的に
接続され、第２の配線３００２はトランジスタ３２００のドレイン電極と電気的に接続さ
れている。また、第３の配線３００３はトランジスタ３３００のソース電極またはドレイ
ン電極の一方と電気的に接続され、第４の配線３００４はトランジスタ３３００のゲート
電極と電気的に接続されている。そして、トランジスタ３２００のゲート電極、およびト
ランジスタ３３００のソース電極またはドレイン電極の他方は、容量素子３４００の電極
の一方と電気的に接続され、第５の配線３００５は容量素子３４００の電極の他方と電気
的に接続されている。
【０３２７】
図１９に示す半導体装置では、トランジスタ３２００のゲート電極の電位が保持可能と
いう特徴を活かすことで、次のように、情報の書き込み、保持、読み出しが可能である。
【０３２８】
情報の書き込みおよび保持について説明する。まず、第４の配線３００４の電位を、ト
ランジスタ３３００がオン状態となる電位にして、トランジスタ３３００をオン状態とす
る。これにより、第３の配線３００３の電位が、トランジスタ３２００のゲート電極、お
よび容量素子３４００に与えられる。すなわち、トランジスタ３２００のゲート電極には
、所定の電荷が与えられる（書き込み）。ここでは、異なる二つの電位レベルを与える電
荷（以下Ｌｏｗレベル電荷、Ｈｉｇｈレベル電荷という）のいずれかが与えられるものと
する。その後、第４の配線３００４の電位を、トランジスタ３３００がオフ状態となる電
位にして、トランジスタ３３００をオフ状態とすることにより、トランジスタ３２００の
ゲート電極に与えられた電荷が保持される（保持）。
【０３２９】
トランジスタ３３００のオフ電流は極めて小さいため、トランジスタ３２００のゲート
電極の電荷は長時間にわたって保持される。
【０３３０】
次に情報の読み出しについて説明する。第１の配線３００１に所定の電位（定電位）を
与えた状態で、第５の配線３００５に適切な電位（読み出し電位）を与えると、トランジ
スタ３２００のゲート電極に保持された電荷量に応じて、第２の配線３００２は異なる電
位をとる。一般に、トランジスタ３２００をｎチャネル型とすると、トランジスタ３２０
０のゲート電極にＨｉｇｈレベル電荷が与えられている場合の見かけのしきい値Ｖｔｈ＿
Ｈは、トランジスタ３２００のゲート電極にＬｏｗレベル電荷が与えられている場合の見
かけのしきい値Ｖｔｈ＿Ｌより低くなるためである。ここで、見かけのしきい値電圧とは
、トランジスタ３２００を「オン状態」とするために必要な第５の配線３００５の電位を
いうものとする。したがって、第５の配線３００５の電位をＶｔｈ＿ＨとＶｔｈ＿Ｌの間
の電位Ｖ０とすることにより、トランジスタ３２００のゲート電極に与えられた電荷を判
別できる。例えば、書き込みにおいて、Ｈｉｇｈレベル電荷が与えられていた場合には、
第５の配線３００５の電位がＶ０（＞Ｖｔｈ＿Ｈ）となれば、トランジスタ３２００は「
オン状態」となる。Ｌｏｗレベル電荷が与えられていた場合には、第５の配線３００５の
電位がＶ０（＜Ｖｔｈ＿Ｌ）となっても、トランジスタ３２００は「オフ状態」のままで
ある。このため、第２の配線３００２の電位を判別することで、保持されている情報を読
み出すことができる。
【０３３１】
なお、メモリセルをアレイ状に配置して用いる場合、所望のメモリセルの情報のみを読
み出せることが必要になる。このように情報を読み出さない場合には、ゲート電極の状態
にかかわらずトランジスタ３２００が「オフ状態」となるような電位、つまり、Ｖｔｈ＿
Ｈより小さい電位を第５の配線３００５に与えればよい。または、ゲート電極の状態にか
かわらずトランジスタ３２００が「オン状態」となるような電位、つまり、Ｖｔｈ＿Ｌよ
り大きい電位を第５の配線３００５に与えればよい。
【０３３２】
本実施の形態に示す半導体装置では、チャネル形成領域に酸化物半導体を用いたオフ電
流の極めて小さいトランジスタを適用することで、極めて長期にわたり記憶内容を保持す
ることが可能である。つまり、リフレッシュ動作が不要となるか、または、リフレッシュ
動作の頻度を極めて低くすることが可能となるため、消費電力を十分に低減することがで
きる。また、電力の供給がない場合（ただし、電位は固定されていることが望ましい）で
あっても、長期にわたって記憶内容を保持することが可能である。
【０３３３】
また、本実施の形態に示す半導体装置では、情報の書き込みに高い電圧を必要とせず、
素子の劣化の問題もない。例えば、従来の不揮発性メモリのように、フローティングゲー
トへの電子の注入や、フローティングゲートからの電子の引き抜きを行う必要がないため
、ゲート絶縁層の劣化といった問題が全く生じない。すなわち、開示する発明に係る半導
体装置では、従来の不揮発性メモリで問題となっている書き換え可能回数に制限はなく、
信頼性が飛躍的に向上する。さらに、トランジスタのオン状態、オフ状態によって、情報
の書き込みが行われるため、高速な動作も容易に実現しうる。
【０３３４】
本実施の形態は、本明細書中に記載する他の実施の形態と適宜組み合わせて実施するこ
とができる。
【０３３５】
（実施の形態６）
本実施の形態では、少なくとも実施の形態で説明したトランジスタを用いることができ
、先の実施の形態で説明した記憶装置を含むＣＰＵについて説明する。
【０３３６】
図２０は、実施の形態１で説明したトランジスタを少なくとも一部に用いたＣＰＵの一
例の構成を示すブロック図である。
【０３３７】
図２０に示すＣＰＵは、基板１１９０上に、ＡＬＵ１１９１（ＡＬＵ：Ａｒｉｔｈｍｅ
ｔｉｃ  ｌｏｇｉｃ  ｕｎｉｔ、演算回路）、ＡＬＵコントローラ１１９２、インストラ
クションデコーダ１１９３、インタラプトコントローラ１１９４、タイミングコントロー
ラ１１９５、レジスタ１１９６、レジスタコントローラ１１９７、バスインターフェース
１１９８（Ｂｕｓ  Ｉ／Ｆ）、書き換え可能なＲＯＭ１１９９、およびＲＯＭインターフ
ェース１１８９（ＲＯＭ  Ｉ／Ｆ）を有している。基板１１９０は、半導体基板、ＳＯＩ
基板、ガラス基板などを用いる。ＲＯＭ１１９９およびＲＯＭインターフェース１１８９
は、別チップに設けてもよい。もちろん、図２０に示すＣＰＵは、その構成を簡略化して
示した一例にすぎず、実際のＣＰＵはその用途によって多種多様な構成を有している。例
えば、図２０に示すＣＰＵまたは演算回路を含む構成を一つのコアとし、当該コアを複数
含み、それぞれのコアが並列で動作するような構成としてもよい。また、ＣＰＵが内部演
算回路やデータバスで扱えるビット数は、例えば８ビット、１６ビット、３２ビット、６
４ビットなどとすることができる。
【０３３８】
バスインターフェース１１９８を介してＣＰＵに入力された命令は、インストラクショ
ンデコーダ１１９３に入力され、デコードされた後、ＡＬＵコントローラ１１９２、イン
タラプトコントローラ１１９４、レジスタコントローラ１１９７、タイミングコントロー
ラ１１９５に入力される。
【０３３９】
ＡＬＵコントローラ１１９２、インタラプトコントローラ１１９４、レジスタコントロ
ーラ１１９７、タイミングコントローラ１１９５は、デコードされた命令に基づき、各種
制御を行なう。具体的にＡＬＵコントローラ１１９２は、ＡＬＵ１１９１の動作を制御す
るための信号を生成する。また、インタラプトコントローラ１１９４は、ＣＰＵのプログ
ラム実行中に、外部の入出力装置や、周辺回路からの割り込み要求を、その優先度やマス
ク状態から判断し、処理する。レジスタコントローラ１１９７は、レジスタ１１９６のア
ドレスを生成し、ＣＰＵの状態に応じてレジスタ１１９６の読み出しや書き込みを行なう
。
【０３４０】
また、タイミングコントローラ１１９５は、ＡＬＵ１１９１、ＡＬＵコントローラ１１
９２、インストラクションデコーダ１１９３、インタラプトコントローラ１１９４、およ
びレジスタコントローラ１１９７の動作のタイミングを制御する信号を生成する。例えば
タイミングコントローラ１１９５は、基準クロック信号ＣＬＫ１を元に、内部クロック信
号ＣＬＫ２を生成する内部クロック生成部を備えており、内部クロック信号ＣＬＫ２を上
記各種回路に供給する。
【０３４１】
図２０に示すＣＰＵでは、レジスタ１１９６に、メモリセルが設けられている。レジス
タ１１９６のメモリセルとして、先の実施の形態に示したトランジスタを用いることがで
きる。
【０３４２】
図２０に示すＣＰＵにおいて、レジスタコントローラ１１９７は、ＡＬＵ１１９１から
の指示に従い、レジスタ１１９６における保持動作の選択を行う。すなわち、レジスタ１
１９６が有するメモリセルにおいて、フリップフロップによるデータの保持を行うか、容
量素子によるデータの保持を行うかを、選択する。フリップフロップによるデータの保持
が選択されている場合、レジスタ１１９６内のメモリセルへの、電源電圧の供給が行われ
る。容量素子におけるデータの保持が選択されている場合、容量素子へのデータの書き換
えが行われ、レジスタ１１９６内のメモリセルへの電源電圧の供給を停止することができ
る。
【０３４３】
図２１は、レジスタ１１９６として用いることのできる記憶素子の回路図の一例である
。記憶素子７００は、電源遮断で記憶データが揮発する回路７０１と、電源遮断で記憶デ
ータが揮発しない回路７０２と、スイッチ７０３と、スイッチ７０４と、論理素子７０６
と、容量素子７０７と、選択機能を有する回路７２０と、を有する。回路７０２は、容量
素子７０８と、トランジスタ７０９と、トランジスタ７１０と、を有する。なお、記憶素
子７００は、必要に応じて、ダイオード、抵抗素子、インダクタなどのその他の素子をさ
らに有していても良い。
【０３４４】
ここで、回路７０２には、先の実施の形態で説明した記憶装置を用いることができる。
記憶素子７００への電源電圧の供給が停止した際、回路７０２のトランジスタ７０９のゲ
ートには接地電位（０Ｖ）、またはトランジスタ７０９がオフする電位が入力され続ける
構成とする。例えば、トランジスタ７０９のゲートが抵抗等の負荷を介して接地される構
成とする。
【０３４５】
スイッチ７０３は、一導電型（例えば、ｎチャネル型）のトランジスタ７１３を用いて
構成され、スイッチ７０４は、一導電型とは逆の導電型（例えば、ｐチャネル型）のトラ
ンジスタ７１４を用いて構成した例を示す。ここで、スイッチ７０３の第１の端子はトラ
ンジスタ７１３のソースとドレインの一方に対応し、スイッチ７０３の第２の端子はトラ
ンジスタ７１３のソースとドレインの他方に対応し、スイッチ７０３はトランジスタ７１
３のゲートに入力される制御信号ＲＤによって、第１の端子と第２の端子の間の導通また
は非導通（つまり、トランジスタ７１３のオン状態またはオフ状態）が選択される。スイ
ッチ７０４の第１の端子はトランジスタ７１４のソースとドレインの一方に対応し、スイ
ッチ７０４の第２の端子はトランジスタ７１４のソースとドレインの他方に対応し、スイ
ッチ７０４はトランジスタ７１４のゲートに入力される制御信号ＲＤによって、第１の端
子と第２の端子の間の導通または非導通（つまり、トランジスタ７１４のオン状態または
オフ状態）が選択される。
【０３４６】
トランジスタ７０９のソースとドレインの一方は、容量素子７０８の一対の電極のうち
の一方、およびトランジスタ７１０のゲートと電気的に接続される。ここで、接続部分を
ノードＭ２とする。トランジスタ７１０のソースとドレインの一方は、低電位電源を供給
することのできる配線（例えばＧＮＤ線）に電気的に接続され、他方は、スイッチ７０３
の第１の端子（トランジスタ７１３のソースとドレインの一方）と電気的に接続される。
スイッチ７０３の第２の端子（トランジスタ７１３のソースとドレインの他方）はスイッ
チ７０４の第１の端子（トランジスタ７１４のソースとドレインの一方）と電気的に接続
される。スイッチ７０４の第２の端子（トランジスタ７１４のソースとドレインの他方）
は電源電位ＶＤＤを供給することのできる配線と電気的に接続される。スイッチ７０３の
第２の端子（トランジスタ７１３のソースとドレインの他方）と、スイッチ７０４の第１
の端子（トランジスタ７１４のソースとドレインの一方）と、論理素子７０６の入力端子
と、容量素子７０７の一対の電極のうちの一方と、は電気的に接続される。ここで、接続
部分をノードＭ１とする。容量素子７０７の一対の電極のうちの他方は、一定の電位が入
力される構成とすることができる。例えば、低電源電位（ＧＮＤ等）または高電源電位（
ＶＤＤ等）が入力される構成とすることができる。容量素子７０７の一対の電極のうちの
他方は、低電位電源を供給することのできる配線（例えばＧＮＤ線）と電気的に接続され
る。容量素子７０８の一対の電極のうちの他方は、一定の電位が入力される構成とするこ
とができる。例えば、低電源電位（ＧＮＤ等）または高電源電位（ＶＤＤ等）が入力され
る構成とすることができる。容量素子７０８の一対の電極のうちの他方は、低電位電源を
供給することのできる配線（例えばＧＮＤ線）と電気的に接続される。
【０３４７】
なお、容量素子７０７および容量素子７０８は、トランジスタや配線の寄生容量等を積
極的に利用することによって省略することも可能である。
【０３４８】
トランジスタ７０９の第１ゲート（第１のゲート電極）には、制御信号ＷＥが入力され
る。スイッチ７０３およびスイッチ７０４は、制御信号ＷＥとは異なる制御信号ＲＤによ
って第１の端子と第２の端子の間の導通状態または非導通状態を選択され、一方のスイッ
チの第１の端子と第２の端子の間が導通状態のとき他方のスイッチの第１の端子と第２の
端子の間は非導通状態となる。
【０３４９】
トランジスタ７０９のソースとドレインの他方には、回路７０１に保持されたデータに
対応する信号が入力される。図２１では、回路７０１から出力された信号が、トランジス
タ７０９のソースとドレインの他方に入力される例を示した。スイッチ７０３の第２の端
子（トランジスタ７１３のソースとドレインの他方）から出力される信号は、論理素子７
０６によってその論理値が反転された反転信号となり、回路７２０を介して回路７０１に
入力される。
【０３５０】
なお、図２１では、スイッチ７０３の第２の端子（トランジスタ７１３のソースとドレ
インの他方）から出力される信号は、論理素子７０６および回路７２０を介して回路７０
１に入力する例を示したがこれに限定されない。スイッチ７０３の第２の端子（トランジ
スタ７１３のソースとドレインの他方）から出力される信号が、論理値を反転させられる
ことなく、回路７０１に入力されてもよい。例えば、回路７０１内に、入力端子から入力
された信号の論理値が反転した信号が保持されるノードが存在する場合に、スイッチ７０
３の第２の端子（トランジスタ７１３のソースとドレインの他方）から出力される信号を
当該ノードに入力することができる。
【０３５１】
図２１におけるトランジスタ７０９は、実施の形態１で説明したトランジスタを用いる
ことができる。また、半導体層を挟んで第１ゲートとは反対側に設けられる第２ゲート（
第２のゲート電極）を有する構成とすることが好ましい。第１ゲートには制御信号ＷＥを
入力し、第２ゲートには制御信号ＷＥ２を入力することができる。制御信号ＷＥ２は、一
定の電位の信号とすればよい。当該一定の電位には、例えば、接地電位ＧＮＤやトランジ
スタ７０９のソース電位よりも小さい電位などが選ばれる。制御信号ＷＥ２は、トランジ
スタ７０９のしきい値電圧を制御するための電位信号であり、トランジスタ７０９のＩｃ
ｕｔをより低減することができる。なお、トランジスタ７０９としては、第２ゲートを有
さないトランジスタを用いることもできる。
【０３５２】
また、図２１において、記憶素子７００に用いられるトランジスタのうち、トランジス
タ７０９以外のトランジスタは、酸化物半導体以外の半導体でなる層または基板１１９０
にチャネルが形成されるトランジスタとすることができる。例えば、シリコン層またはシ
リコン基板にチャネルが形成されるトランジスタとすることができる。また、記憶素子７
００に用いられるトランジスタ全てを、チャネルが酸化物半導体層で形成されるトランジ
スタとすることもできる。または、記憶素子７００は、トランジスタ７０９以外にも、チ
ャネルが酸化物半導体層で形成されるトランジスタを含んでいてもよく、残りのトランジ
スタは酸化物半導体以外の半導体でなる層または基板１１９０にチャネルが形成されるト
ランジスタとすることもできる。
【０３５３】
図２１における回路７０１には、例えばフリップフロップ回路を用いることができる。
また、論理素子７０６としては、例えばインバータやクロックドインバータ等を用いるこ
とができる。
【０３５４】
本発明の一態様における半導体装置では、記憶素子７００に電源電圧が供給されない間
は、回路７０１に記憶されていたデータを、回路７０２に設けられた容量素子７０８によ
って保持することができる。
【０３５５】
また、酸化物半導体層にチャネルが形成されるトランジスタはオフ電流が極めて小さい
。例えば、酸化物半導体層にチャネルが形成されるトランジスタのオフ電流は、結晶性を
有するシリコンにチャネルが形成されるトランジスタのオフ電流に比べて著しく低い。そ
のため、当該トランジスタをトランジスタ７０９として用いることによって、記憶素子７
００に電源電圧が供給されない間も容量素子７０８に保持された信号は長期間にわたり保
たれる。こうして、記憶素子７００は電源電圧の供給が停止した間も記憶内容（データ）
を保持することが可能である。
【０３５６】
また、スイッチ７０３およびスイッチ７０４を設けることによって、プリチャージ動作
を行うことを特徴とする記憶素子であるため、電源電圧供給再開後に、回路７０１が元の
データを保持しなおすまでの時間を短くすることができる。
【０３５７】
また、回路７０２において、容量素子７０８によって保持された信号はトランジスタ７
１０のゲートに入力される。そのため、記憶素子７００への電源電圧の供給が再開された
後、容量素子７０８によって保持された信号を、トランジスタ７１０の状態（オン状態、
またはオフ状態）に変換して、回路７０２から読み出すことができる。それ故、容量素子
７０８に保持された信号に対応する電位が多少変動していても、元の信号を正確に読み出
すことが可能である。
【０３５８】
このような記憶素子７００を、プロセッサが有するレジスタやキャッシュメモリなどの
記憶装置に用いることで、電源電圧の供給停止による記憶装置内のデータの消失を防ぐこ
とができる。また、電源電圧の供給を再開した後、短時間で電源供給停止前の状態に復帰
することができる。よって、プロセッサ全体、もしくはプロセッサを構成する一つ、また
は複数の論理回路において、短い時間でも電源停止を行うことができるため、消費電力を
抑えることができる。
【０３５９】
本実施の形態では、記憶素子７００をＣＰＵに用いる例として説明したが、記憶素子７
００は、ＤＳＰ（Ｄｉｇｉｔａｌ  Ｓｉｇｎａｌ  Ｐｒｏｃｅｓｓｏｒ）、カスタムＬＳ
Ｉ、ＰＬＤ（Ｐｒｏｇｒａｍｍａｂｌｅ  Ｌｏｇｉｃ  Ｄｅｖｉｃｅ）等のＬＳＩ、ＲＦ
−ＩＤ（Ｒａｄｉｏ  Ｆｒｅｑｕｅｎｃｙ  Ｉｄｅｎｔｉｆｉｃａｔｉｏｎ）にも応用可
能である。
【０３６０】
本実施の形態は、本明細書中に記載する他の実施の形態と適宜組み合わせて実施するこ
とができる。
【０３６１】
（実施の形態７）
本実施の形態では、上記実施の形態で説明したトランジスタ、記憶装置、またはＣＰＵ
等（ＤＳＰ、カスタムＬＳＩ、ＰＬＤ、ＲＦ−ＩＤを含む）などの半導体装置を用いるこ
とのできる電子機器の例について説明する。
【０３６２】
上記実施の形態で例示したトランジスタ、記憶装置、またはＣＰＵ等は、さまざまな電
子機器（遊技機も含む）に適用することができる。電子機器としては、テレビ、モニタ等
の表示装置、照明装置、パーソナルコンピュータ、ワードプロセッサ、画像再生装置、ポ
ータブルオーディオプレーヤ、ラジオ、テープレコーダ、ステレオ、電話、コードレス電
話、携帯電話、自動車電話、トランシーバ、無線機、ゲーム機、電卓、携帯情報端末、電
子手帳、電子書籍、電子翻訳機、音声入力機器、ビデオカメラ、デジタルスチルカメラ、
電気シェーバ、ＩＣチップ、電子レンジ等の高周波加熱装置、電気炊飯器、電気洗濯機、
電気掃除機、エアコンディショナーなどの空調設備、食器洗い機、食器乾燥機、衣類乾燥
機、布団乾燥機、電気冷蔵庫、電気冷凍庫、電気冷凍冷蔵庫、ＤＮＡ保存用冷凍庫、放射
線測定器、透析装置、Ｘ線診断装置等の医療機器、などが挙げられる。また、煙感知器、
熱感知器、ガス警報装置、防犯警報装置などの警報装置も挙げられる。さらに、誘導灯、
信号機、ベルトコンベア、エレベータ、エスカレータ、産業用ロボット、電力貯蔵システ
ム等の産業機器も挙げられる。また、燃料を用いたエンジンや、非水系二次電池からの電
力を用いて電動機により推進する移動体なども、電子機器の範疇に含まれるものとする。
上記移動体として、例えば、電気自動車（ＥＶ）、内燃機関と電動機を併せ持ったハイブ
リッド車（ＨＥＶ）、プラグインハイブリッド車（ＰＨＥＶ）、これらのタイヤ車輪を無
限軌道に変えた装軌車両、電動アシスト自転車を含む原動機付自転車、自動二輪車、電動
車椅子、ゴルフ用カート、小型または大型船舶、潜水艦、ヘリコプター、航空機、ロケッ
ト、人工衛星、宇宙探査機や惑星探査機、宇宙船が挙げられる。これらの電子機器の一部
の具体例を図２２に示す。
【０３６３】
図２２（Ａ）に示すテレビジョン装置８０００は、筐体８００１に表示部８００２が組
み込まれており、表示部８００２により映像を表示し、スピーカ部８００３から音声を出
力することが可能である。先の実施の形態で例示したトランジスタを筐体８００１に組み
込まれた表示部８００２を動作するための駆動回路または画素に用いることが可能である
。
【０３６４】
表示部８００２は、液晶表示装置、有機ＥＬ素子などの発光素子を各画素に備えた発光
装置、電気泳動表示装置、ＤＭＤ（Ｄｉｇｉｔａｌ  Ｍｉｃｒｏｍｉｒｒｏｒ  Ｄｅｖｉ
ｃｅ）、ＰＤＰ（Ｐｌａｓｍａ  Ｄｉｓｐｌａｙ  Ｐａｎｅｌ）等の半導体表示装置を用
いることができる。
【０３６５】
テレビジョン装置８０００は、受信機やモデムなどを備えていてもよい。テレビジョン
装置８０００は、受信機により一般のテレビ放送の受信を行うことができ、さらにモデム
を介して有線又は無線による通信ネットワークに接続することにより、一方向（送信者か
ら受信者）又は双方向（送信者と受信者間、あるいは受信者間同士など）の情報通信を行
うことも可能である。
【０３６６】
また、テレビジョン装置８０００は、情報通信を行うためのＣＰＵ８００４や、メモリ
を備えていてもよい。ＣＰＵ８００４やメモリに、先の実施の形態に示したトランジスタ
、記憶装置、またはＣＰＵを用いることによって省電力化を図ることができる。
【０３６７】
図２２（Ａ）に示す警報装置８１００は、住宅用火災警報器であり、煙または熱の検出
部８１０２と、マイクロコンピュータ８１０１を用いた電子機器の一例である。マイクロ
コンピュータ８１０１は、先の実施の形態に示したトランジスタ、記憶装置、またはＣＰ
Ｕを含む。
【０３６８】
また、図２２（Ａ）に示す室内機８２００および室外機８２０４を有するエアコンディ
ショナーは、先の実施の形態に示したトランジスタ、記憶装置、またはＣＰＵ等を含む電
子機器の一例である。具体的に、室内機８２００は、筐体８２０１、送風口８２０２、Ｃ
ＰＵ８２０３等を有する。図２２（Ａ）においては、ＣＰＵ８２０３が、室内機８２００
に設けられている場合を例示しているが、ＣＰＵ８２０３は室外機８２０４に設けられて
いてもよい。または、室内機８２００と室外機８２０４の両方に、ＣＰＵ８２０３が設け
られていてもよい。先の実施の形態に示したトランジスタをエアコンディショナーのＣＰ
Ｕに用いることによって省電力化を図ることができる。
【０３６９】
また、図２２（Ａ）に示す電気冷凍冷蔵庫８３００は、先の実施の形態に示したトラン
ジスタ、記憶装置、またはＣＰＵ等を含む電子機器の一例である。具体的に、電気冷凍冷
蔵庫８３００は、筐体８３０１、冷蔵室用扉８３０２、冷凍室用扉８３０３、ＣＰＵ８３
０４等を有する。図２２（Ａ）では、ＣＰＵ８３０４が、筐体８３０１の内部に設けられ
ている。先の実施の形態に示したトランジスタを電気冷凍冷蔵庫８３００のＣＰＵ８３０
４に用いることによって省電力化が図れる。
【０３７０】
図２２（Ｂ）、（Ｃ）には、電子機器の一例である電気自動車の例を示す。電気自動車
９７００には、二次電池９７０１が搭載されている。二次電池９７０１の電力は、回路９
７０２により出力が調整されて、駆動装置９７０３に供給される。回路９７０２は、図示
しないＲＯＭ、ＲＡＭ、ＣＰＵ等を有する処理装置９７０４によって制御される。先の実
施の形態に示したトランジスタを電気自動車９７００のＣＰＵに用いることによって省電
力化が図れる。
【０３７１】
駆動装置９７０３は、直流電動機もしくは交流電動機単体、または電動機と内燃機関と
、を組み合わせて構成される。処理装置９７０４は、電気自動車９７００の運転者の操作
情報（加速、減速、停止など）や走行時の情報（上り坂や下り坂等の情報、駆動輪にかか
る負荷情報など）の入力情報に基づき、回路９７０２に制御信号を出力する。回路９７０
２は、処理装置９７０４の制御信号により、二次電池９７０１から供給される電気エネル
ギーを調整して駆動装置９７０３の出力を制御する。交流電動機を搭載している場合は、
図示していないが、直流を交流に変換するインバータも内蔵される。
【０３７２】
本実施の形態は、本明細書中に記載する他の実施の形態と適宜組み合わせて実施するこ
とができる。
【符号の説明】
【０３７３】
１００    トランジスタ
１０１    基板
１０２    半導体層
１０３    電極
１０４    ゲート絶縁層
１０５    ゲート電極
１０６    絶縁層
１１１    保護絶縁層
１１２    保護絶縁層
１２０    容量素子
１２４    誘電体層
１２５    電極
１５０    トランジスタ
１５１    酸化物層
１５２    酸化物層
１６０    トランジスタ
１７０    トランジスタ
１８０    トランジスタ
２００    トランジスタ
２０１    基板
２０２    半導体層
２０３    電極
２０４    ゲート絶縁層
２０５    ゲート電極
２０６    絶縁層
２０７    絶縁層
２１１    保護絶縁層
２１２    保護絶縁層
２２０    容量素子
２２４    誘電体層
２２５    電極
２５０    トランジスタ
２５１    酸化物層
２５２    酸化物層
２６０    トランジスタ
２７０    トランジスタ
２８０    トランジスタ
６０２    フォトダイオード
６４０    トランジスタ
６５６    トランジスタ
６５８    フォトダイオードリセット信号線
６５９    ゲート信号線
６７１    フォトセンサ出力信号線
６７２    フォトセンサ基準信号線
７００    記憶素子
７０１    回路
７０２    回路
７０３    スイッチ
７０４    スイッチ
７０６    論理素子
７０７    容量素子
７０８    容量素子
７０９    トランジスタ
７１０    トランジスタ
７１３    トランジスタ
７１４    トランジスタ
７２０    回路
１１８９    ＲＯＭインターフェース
１１９０    基板
１１９１    ＡＬＵ
１１９２    ＡＬＵコントローラ
１１９３    インストラクションデコーダ
１１９４    インタラプトコントローラ
１１９５    タイミングコントローラ
１１９６    レジスタ
１１９７    レジスタコントローラ
１１９８    バスインターフェース
１１９９    ＲＯＭ
２２００    トランジスタ
２２０１    絶縁層
２２０２    配線
２２０３    プラグ
２２０４    絶縁層
２２０５    配線
２２０６    配線
３００１    配線
３００２    配線
３００３    配線
３００４    配線
３００５    配線
３２００    トランジスタ
３３００    トランジスタ
３４００    容量素子
８０００    テレビジョン装置
８００１    筐体
８００２    表示部
８００３    スピーカ部
８００４    ＣＰＵ
８１００    警報装置
８１０１    マイクロコンピュータ
８１０２    検出部
８２００    室内機
８２０１    筐体
８２０２    送風口
８２０３    ＣＰＵ
８２０４    室外機
８３００    電気冷凍冷蔵庫
８３０１    筐体
８３０２    冷蔵室用扉
８３０３    冷凍室用扉
８３０４    ＣＰＵ
９７００    電気自動車
９７０１    二次電池
９７０２    回路
９７０３    駆動装置
９７０４    処理装置
【図１】
2020057809.tif 000003
【図２】
2020057809.tif 000004
【図３】
2020057809.tif 000005
【図４】
2020057809.tif 000006
【図５】
2020057809.tif 000007
【図６】
2020057809.tif 000008
【図７】
2020057809.tif 000009
【図８】
2020057809.tif 000010
【図９】
2020057809.tif 000011
【図１０】
2020057809.tif 000012
【図１１】
2020057809.tif 000013
【図１２】
2020057809.tif 000014
【図１３】
2020057809.tif 000015
【図１４】
2020057809.tif 000016
【図１５】
2020057809.tif 000017
【図１６】
2020057809.tif 000018
【図１７】
2020057809.tif 000019
【図１８】
2020057809.tif 000020
【図１９】
2020057809.tif 000021
【図２０】
2020057809.tif 000022
【図２１】
2020057809.tif 000023
【図２２】
2020057809.tif 000024
【図２３】
2020057809.tif 000025
【図２４】
2020057809.tif 000026
【図２５】
2020057809.tif 000027
【図２６】
2020057809.tif 000028
【図２７】
2020057809.tif 000029
【図２８】
2020057809.tif 000030
【図２９】
2020057809.tif 000031
【手続補正書】
【提出日】令和2年1月17日(2020.1.17)
【手続補正２】
【補正対象書類名】特許請求の範囲
【補正対象項目名】全文
【補正方法】変更
【補正の内容】
【特許請求の範囲】
【請求項１】
溝部が設けられた絶縁層の前記溝部に酸化物半導体が残るように、前記酸化物半導体をＣＭＰ処理する、
半導体装置の作製方法。
【請求項２】
絶縁層に溝部を形成し、
前記絶縁層上に、前記溝部を埋め込むように酸化物半導体を形成し、
前記溝部に前記酸化物半導体が残るように前記酸化物半導体をＣＭＰ処理する、
半導体装置の作製方法。
【請求項３】
絶縁層に溝部を形成し、
前記絶縁層上に保護絶縁層を形成し、
前記保護絶縁層上に、前記溝部を埋め込むように酸化物半導体を形成し、
前記溝部に前記酸化物半導体が残るように前記酸化物半導体をＣＭＰ処理する、
半導体装置の作製方法。
【請求項４】
請求項１乃至請求項３のいずれか一において、
前記酸化物半導体上にゲート絶縁層を形成し、
前記ゲート絶縁層上にゲート電極を形成する、
半導体装置の作製方法。
【請求項５】
溝部を有する絶縁層と、
前記溝部に埋め込むように設けられた酸化物半導体層と、
前記酸化物半導体層上のゲート絶縁層と、
前記ゲート絶縁層を介して前記酸化物半導体層と重なるゲート電極と、を有する、
半導体装置。
【請求項６】
溝部を有する絶縁層と、
前記溝部の側面および底面を覆うように設けられた第１の保護絶縁層と、
前記第１の保護絶縁層上に前記溝部に埋め込むように設けられた酸化物半導体層と、
前記酸化物半導体層上のゲート絶縁層と、
前記ゲート絶縁層を介して前記酸化物半導体層と重なるゲート電極と、を有する、
半導体装置。
【請求項７】
溝部を有する絶縁層と、
前記溝部の側面および底面を覆うように設けられた第１の保護絶縁層と、
前記第１の保護絶縁層上に前記溝部に埋め込むように設けられた酸化物半導体層と、
前記酸化物半導体層に電気的に接続するソース電極およびドレイン電極と、
前記ソース電極および前記ドレイン電極上に位置し、前記酸化物半導体層と重なるゲート絶縁層と、
前記ゲート絶縁層を介して前記酸化物半導体層と重なるゲート電極と、
前記ソース電極、前記ドレイン電極、および前記ゲート電極を覆う第２の保護絶縁層と、を有し、
前記第１の保護絶縁層および前記第２の保護絶縁層は、前記ソース電極、前記ドレイン電極、および前記ゲート電極の存在しない領域において互いに接する領域を有する、
半導体装置。
【請求項８】
溝部を有する絶縁層と、
前記溝部の側面および底面を覆うように設けられた第１の保護絶縁層と、
前記第１の保護絶縁層上に前記溝部に埋め込むように設けられた酸化物半導体層と、
前記酸化物半導体層に電気的に接続するソース電極およびドレイン電極と、
前記ソース電極および前記ドレイン電極上に位置し、前記酸化物半導体層と重なるゲート絶縁層と、
前記ゲート絶縁層を介して前記酸化物半導体層と重なるゲート電極と、
前記ソース電極、前記ドレイン電極、および前記ゲート電極を覆う第２の保護絶縁層と、を有し、
前記第１の保護絶縁層および前記第２の保護絶縁層は、酸素過剰領域を有する酸化アルミニウム膜を含み、且つ前記ソース電極、前記ドレイン電極、および前記ゲート電極の存在しない領域において互いに接する領域を有する、
半導体装置。
【請求項９】
前記第１の保護絶縁層と前記酸化物半導体層との間に設けられ、前記酸化物半導体層の金属元素の少なくとも一を含んで構成される第１の酸化物層と、
前記酸化物半導体層と前記ゲート絶縁層との間に設けられ、前記酸化物半導体層の金属元素の少なくとも一を含んで構成される第２の酸化物層と、を有し、
前記前記第１の酸化物層および前記第２の酸化物層の伝導帯下端のエネルギーは、酸化物半導体層の伝導帯下端のエネルギーよりも、０．０５ｅＶ以上２ｅＶ以下の範囲で真空準位に近い、
請求項７又は請求項８に記載の、半導体装置。
【請求項１０】
前記第２の酸化物層の下面は、前記ソース電極の上面、前記ドレイン電極の上面、ならびに前記ソース電極および前記ドレイン電極が設けられない領域における前記酸化物半導体層の上面に接する、
請求項９に記載の、半導体装置。